(57)【要約】【課題】無線タグデータを読取可能な通信装置に関し、特に、読み取った無線タグデータを有効活用し、ユーザに更なる利便性を与えうる通信装置を提供する。【解決手段】ファクシミリ装置１は、原稿６１を収納したキャリアシート８０を原稿載置部２Ａに載置し、キャリアシート８０の基本無線タグ６２Ａと、原稿６１の補助無線タグ６２Ｂから無線タグデータを取得し（Ｓ４）、取得した無線タグデータを構成する種別データに基づいて、当該無線タグデータの種別を特定する（Ｓ５）。そして、ファクシミリ装置１は、特定された無線タグデータの種別により構成される種別組合せに基づいて、特殊処理データ記憶エリア１４１に記憶されている特殊処理データ及び処理内容指定データを特定する（Ｓ１１）。その後、ファクシミリ装置１は、指定処理内容実行処理（Ｓ１３）において、特定された処理内容指定データに基づく処理内容を実行する。【選択図】図６
2009044580.tif 000002
【特許請求の範囲】
【請求項１】
無線タグに格納されている無線タグデータを読み出す読出手段と、
前記読出手段により読み出された無線タグデータに基づいて、当該無線タグデータの種別を特定する特定手段と、
複数の無線タグデータの種別を組み合わせて構成される種別組合せ情報と、当該通信装置において実行する処理内容情報と、を相互に対応付けて記憶する記憶手段と、
前記読出手段により、複数の無線タグから夫々無線タグデータが読み出された場合に、前記特定手段により、各無線タグデータの種別を特定し、その特定された各無線タグデータの種別に基づく種別組合せが、前記記憶手段に記憶されている種別組合せ情報と一致するか否かを判断する判断手段と、
前記判断手段により、一致すると判断されたことを条件として、前記記憶手段を参照し、当該種別組合せ情報に対応する処理内容情報に基づき、実行すべき処理内容を特定し、前記読出手段により読み出された無線タグデータを用いて、その特定された処理内容を実行するように制御する制御手段と、を備えることを特徴とする通信装置。
【請求項２】
請求項１記載の通信装置において、
前記無線タグデータは、
当該無線タグデータの主要部を成す主要データと、当該主要データの種別を示す種別データと、を区別可能に含み、
前記特定手段は、
前記種別データに基づいて、当該無線タグデータの種別を特定することを特徴とする通信装置。
【請求項３】
請求項１又は２記載の通信装置において、
当該通信装置で実行可能な複数の機能の内、一の機能を選択可能な機能選択手段と、
前記判断手段により特定された種別組合せと同一種別で構成される種別組合せ情報が前記記憶手段に複数記憶されている場合に、前記機能選択手段で選択されている機能を検出する機能検出手段と、を備え、
前記制御手段は、
前記機能検出手段より検出された機能に基づいて、実行する処理内容を特定し、実行することを特徴とする通信装置。
【請求項４】
請求項１乃至３記載の通信装置において、
前記読出手段により読み出され、前記種別組合せ情報を構成する複数の無線タグの内、一の無線タグは、共通使用可能な無線タグデータが格納された基本無線タグであり、
前記複数の無線タグを構成する他の無線タグは、特定された処理内容を実行する際に、前記基本無線タグに格納された無線タグデータと関連性を有する無線タグデータが格納された補助無線タグであることを特徴とする通信装置。
【請求項５】
請求項４記載の通信装置において、
原稿の画像データを読み取る読取手段を備え、
前記基本無線タグは、
原稿を内部に収納した状態で、前記読取手段による当該原稿の画像データの読取を可能とするキャリアシートに付加されており、
前記補助無線タグは、
前記キャリアシートに収納される原稿に付加されていることを特徴とする通信装置。
【請求項６】
請求項１乃至５記載の通信装置において、
画像データを送信する送信手段を備え、
前記記憶手段には、
前記原稿に基づく画像データを複数の相手先に同時に送信する同報送信データを示す同報送信種別と、特定の送信相手先の相手先番号データを示す相手先番号種別と、により構成される種別組合せ情報と、
前記同報送信データに規定されている複数の相手先について、前記相手先番号データが示す相手先に関する編集を行った上で、前記送信手段により画像データを送信する旨の処理内容情報と、
が対応付けられて記憶されていることを特徴とする通信装置。
【請求項７】
請求項１乃至６記載の通信装置において、
画像データを送信する送信手段を備え、
前記記憶手段には、
相手先の外線番号が規定された外線番号データを示す外線番号種別と、当該相手先の内線番号が規定された内線番号データを示す内線番号種別と、により構成される種別組合せ情報と、
前記送信手段による送信時に、前記外線番号データに基づいて、当該相手先の外線番号を送出した後、前記内線番号データに基づく内線番号を送出する旨の処理内容情報と、
が対応付けられて記憶されていることを特徴とする通信装置。
【請求項８】
請求項１乃至７記載の通信装置において、
複数の無線タグデータの種別から任意に選択された種別組合せ情報と、当該種別組合せ情報に関連し、通信装置において実行させる処理内容情報と、を対応付けて前記記憶手段に記憶する登録手段と、を備えることを特徴とする通信装置。
【請求項９】
無線タグデータの主要部を成す主要データと、当該主要データの種別を示す種別データと、を含む無線タグデータが書き込まれた通常無線タグと、
前記通常無線タグの種別を指定する種別指定データと、前記通常無線タグの種別が前記種別指定データにより指定された種別であった場合に実行する処理内容を指定する処理内容指定データと、を含む無線タグデータが書き込まれた特別無線タグと、
が含まれる無線タグから無線タグデータを読み出す読出手段と、
前記読出手段により、前記通常無線タグと前記特別無線タグから、無線タグデータを読み出した場合、その通常無線タグの種別と、前記特別無線タグの種別指定データにより指定されている種別とが一致するか否かを判断する判断手段と、
前記判断手段により、一致すると判断されたことを条件として、前記通常無線タグから読み出された主要データを利用して、前記特別無線タグから読み出された処理内容指定データにより指定された処理内容を実行するように制御する制御手段と、
を備えることを特徴とする通信装置。
【請求項１０】
請求項９記載の通信装置において、
前記特別無線タグは、共通使用可能な主要データを格納し、
前記種別指定データで指定される種別に係る通常無線タグは、前記処理内容指定データにより指定される処理内容を実行する際に、前記特別無線タグに格納された主要データと関連性を有する主要データが格納されていることを特徴とする通信装置。
【請求項１１】
請求項１０記載の通信装置において、
原稿の画像データを読み取る読取手段を備え、
前記特別無線タグは、
原稿を内部に収納した状態で、前記読取手段による当該原稿の画像データの読取を可能とするキャリアシートに付加されており、
前記通常無線タグは、
前記キャリアシートに収納される原稿に付加されていることを特徴とする通信装置。
【請求項１２】
請求項９乃至１１記載の通信装置において、
画像データを送信する送信手段を備え、
前記特別無線タグには、
無線タグデータとして、前記原稿に基づく画像データを複数の相手先に同時に送信する同報送信データが格納されており、
特定の送信相手先の相手先番号データを示す相手先番号種別を指定する種別指定データと、
前記通常無線タグの種別が相手先番号種別である場合に、前記同報送信データに規定されている複数の相手先について、前記相手先番号データが示す相手先に関する編集を行った上で、送信手段により画像データを送信する旨の処理内容を指定する処理内容指定データと、が格納されていることを特徴とする通信装置。
【請求項１３】
請求項９乃至１２記載の通信装置において、
画像データを送信する送信手段を備え、
前記特別無線タグには、
無線タグデータとして、相手先の外線番号が規定された外線番号データが格納されており、
当該相手先の内線番号が規定された内線番号データを示す内線番号種別を指定する種別指定データと、
前記通常無線タグの種別が内線番号種別である場合に、前記送信手段による送信時に、前記外線番号データに基づいて、当該相手先の外線番号を送出した後、前記内線番号データに基づく内線番号を送出する旨の処理内容を指定する処理内容指定データと、が格納されていることを特徴とする通信装置。
【請求項１４】
請求項９乃至１３記載の通信装置において、
複数の無線タグデータの種別から任意に選択された種別を示す種別指定データと、
当該種別指定データにより指定された無線タグデータの種別に関連し、通信装置において実行可能な処理内容を指定する処理内容指定データと、を前記特別無線タグに書き込み登録する登録手段と、を備えることを特徴とする通信装置。
【発明の詳細な説明】
【技術分野】
【０００１】
本発明は、無線タグデータを読取可能な通信装置に関し、特に、読み取った無線タグデータを有効活用し、利便性を提供し得る通信装置に関する。
【背景技術】
【０００２】
近年、無線タグを利用した通信装置が種々開発されている。ここで、無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称される記録媒体である。
【０００３】
例えば、特許文献１には、無線タグに記憶されたデータを用いた複合通信端末装置に関する技術が記載されている。この特許文献１記載の複合通信端末装置では、無線タグリーダにより、ファクシミリ送信の相手先を特定しうる情報（例えば、電話番号やファックス番号）が格納された無線タグから、当該情報の読み取りを行う。そして、当該複合通信端末装置は、読み取った情報に基づいて、相手先に対して、送信原稿に係る画像データをファクシミリ送信する。
【特許文献１】特開２００５−３４８０２７号公報
【０００４】
従って、特許文献１記載の複合通信端末装置によれば、送信元のユーザが自ら相手先の情報を入力する作業を行うことなく、無線タグリーダにより、当該無線タグの無線タグデータの読取作業を行うだけで、所望の相手先に対してファクシミリ送信を行うことができる。
【発明の開示】
【発明が解決しようとする課題】
【０００５】
現在、通信装置における無線タグデータの活用方法としては、上記特許文献１記載の複合通信端末装置のように、一の無線タグに格納されている一の無線タグデータを利用することで、ユーザの利便性を提供するのみである。特に、通信装置における無線タグデータは、ファクシミリ通信や電話の相手先を指定する際に、相手先指定操作を簡易、迅速なものとするために利用される態様が一般的であった。
即ち、無線タグには、各種のデータを無線タグデータとして書き込むことが可能であり、又、特許文献１記載の複合通信端末装置のように、無線タグデータの読取が可能であるにもかかわらず、それらの特徴を十分に活用することができていなかった。
【０００６】
本発明は、前記従来における問題点を解消するためになされたものであり、無線タグデータを読取可能な通信装置に関し、特に、読み取った無線タグデータを有効活用し、ユーザに更なる利便性を与えうる通信装置を提供することを目的とする。
【課題を解決するための手段】
【０００７】
前記課題を解決するために成された請求項１に係る通信装置は、無線タグに格納されている無線タグデータを読み出す読出手段と、前記読出手段により読み出された無線タグデータに基づいて、当該無線タグデータの種別を特定する特定手段と、複数の無線タグデータの種別を組み合わせて構成される種別組合せ情報と、当該通信装置において実行する処理内容情報と、を相互に対応付けて記憶する記憶手段と、前記読出手段により、複数の無線タグから夫々無線タグデータが読み出された場合に、前記特定手段により、各無線タグデータの種別を特定し、その特定された各無線タグデータの種別に基づく種別組合せが、前記記憶手段に記憶されている種別組合せ情報と一致するか否かを判断する判断手段と、前記判断手段により、一致すると判断されたことを条件として、前記記憶手段を参照し、当該種別組合せ情報に対応する処理内容情報に基づき、実行すべき処理内容を特定し、前記読出手段により読み出された無線タグデータを用いて、その特定された処理内容を実行するように制御する制御手段と、を備えることを特徴とする。
【０００８】
ここで、無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称される記録媒体である。
【０００９】
そして、請求項２記載の通信装置は、請求項１記載の通信装置において、前記無線タグデータは、当該無線タグデータの主要部を成す主要データと、当該主要データの種別を示す種別データと、を区別可能に含み、前記特定手段は、前記種別データに基づいて、当該無線タグデータの種別を特定することを特徴とする。
【００１０】
又、請求項３記載の通信装置は、請求項１又は２記載の通信装置において、当該通信装置で実行可能な複数の機能の内、一の機能を選択可能な機能選択手段と、前記判断手段により特定された種別組合せと同一種別で構成される種別組合せ情報が前記記憶手段に複数記憶されている場合に、前記機能選択手段で選択されている機能を検出する機能検出手段と、を備え、前記制御手段は、前記機能検出手段より検出された機能に基づいて、実行する処理内容を特定し、実行することを特徴とする。
【００１１】
そして、請求項４記載の通信装置は、請求項１乃至３記載の通信装置において、前記読出手段により読み出され、前記種別組合せ情報を構成する複数の無線タグの内、一の無線タグは、共通使用可能な無線タグデータが格納された基本無線タグであり、前記複数の無線タグを構成する他の無線タグは、特定された処理内容を実行する際に、前記基本無線タグに格納された無線タグデータと関連性を有する無線タグデータが格納された補助無線タグであることを特徴とする。
【００１２】
又、請求項５記載の通信装置は、請求項４記載の通信装置において、原稿の画像データを読み取る読取手段を備え、前記基本無線タグは、原稿を内部に収納した状態で、前記読取手段による当該原稿の画像データの読取を可能とするキャリアシートに付加されており、前記補助無線タグは、前記キャリアシートに収納される原稿に付加されていることを特徴とする。
【００１３】
そして、請求項６記載の通信装置は、請求項１乃至５記載の通信装置において、画像データを送信する送信手段を備え、前記記憶手段には、前記原稿に基づく画像データを複数の相手先に同時に送信する同報送信データを示す同報送信種別と、特定の送信相手先の相手先番号データを示す相手先番号種別と、により構成される種別組合せ情報と、前記同報送信データに規定されている複数の相手先について、前記相手先番号データが示す相手先に関する編集を行った上で、前記送信手段により画像データを送信する旨の処理内容情報と、が対応付けられて記憶されていることを特徴とする。
【００１４】
又、請求項７記載の通信装置は、請求項１乃至６記載の通信装置において、画像データを送信する送信手段を備え、前記記憶手段には、相手先の外線番号が規定された外線番号データを示す外線番号種別と、当該相手先の内線番号が規定された内線番号データを示す内線番号種別と、により構成される種別組合せ情報と、前記送信手段による送信時に、前記外線番号データに基づいて、当該相手先の外線番号を送出した後、前記内線番号データに基づく内線番号を送出する旨の処理内容情報と、が対応付けられて記憶されていることを特徴とする。
【００１５】
そして、請求項８記載の通信装置は、請求項１乃至７記載の通信装置において、複数の無線タグデータの種別から任意に選択された種別組合せ情報と、当該種別組合せ情報に関連し、通信装置において実行させる処理内容情報と、を対応付けて前記記憶手段に記憶する登録手段と、を備えることを特徴とする。
【００１６】
又、請求項９記載の通信装置は、無線タグデータの主要部を成す主要データと、当該主要データの種別を示す種別データと、を含む無線タグデータが書き込まれた通常無線タグと、前記通常無線タグの種別を指定する種別指定データと、前記通常無線タグの種別が前記種別指定データにより指定された種別であった場合に実行する処理内容を指定する処理内容指定データと、を含む無線タグデータが書き込まれた特別無線タグと、が含まれる無線タグから無線タグデータを読み出す読出手段と、前記読出手段により、前記通常無線タグと前記特別無線タグから、無線タグデータを読み出した場合、その通常無線タグの種別と、前記特別無線タグの種別指定データにより指定されている種別とが一致するか否かを判断する判断手段と、前記判断手段により、一致すると判断されたことを条件として、前記通常無線タグから読み出された主要データを利用して、前記特別無線タグから読み出された処理内容指定データにより指定された処理内容を実行するように制御する制御手段と、を備えることを特徴とする。
【００１７】
そして、請求項１０記載の通信装置は、請求項９記載の通信装置において、前記特別無線タグは、共通使用可能な主要データを格納し、前記種別指定データで指定される種別に係る通常無線タグは、前記処理内容指定データにより指定される処理内容を実行する際に、前記特別無線タグに格納された主要データと関連性を有する主要データが格納されていることを特徴とする。
【００１８】
又、請求項１１記載の通信装置は、請求項１０記載の通信装置において、原稿の画像データを読み取る読取手段を備え、前記特別無線タグは、原稿を内部に収納した状態で、前記読取手段による当該原稿の画像データの読取を可能とするキャリアシートに付加されており、前記通常無線タグは、前記キャリアシートに収納される原稿に付加されていることを特徴とする。
【００１９】
そして、請求項１２記載の通信装置は、請求項９乃至１１記載の通信装置において、画像データを送信する送信手段を備え、前記特別無線タグには、無線タグデータとして、前記原稿に基づく画像データを複数の相手先に同時に送信する同報送信データが格納されており、特定の送信相手先の相手先番号データを示す相手先番号種別を指定する種別指定データと、前記通常無線タグの種別が相手先番号種別である場合に、前記同報送信データに規定されている複数の相手先について、前記相手先番号データが示す相手先に関する編集を行った上で、送信手段により画像データを送信する旨の処理内容を指定する処理内容指定データと、が格納されていることを特徴とする。
【００２０】
又、請求項１３記載の通信装置は、請求項９乃至１２記載の通信装置において、画像データを送信する送信手段を備え、前記特別無線タグには、無線タグデータとして、相手先の外線番号が規定された外線番号データが格納されており、当該相手先の内線番号が規定された内線番号データを示す内線番号種別を指定する種別指定データと、前記通常無線タグの種別が内線番号種別である場合に、前記送信手段による送信時に、前記外線番号データに基づいて、当該相手先の外線番号を送出した後、前記内線番号データに基づく内線番号を送出する旨の処理内容を指定する処理内容指定データと、が格納されていることを特徴とする。
【００２１】
そして、請求項１４記載の通信装置は、請求項９乃至１３記載の通信装置において、複数の無線タグデータの種別から任意に選択された種別を示す種別指定データと、当該種別指定データにより指定された無線タグデータの種別に関連し、通信装置において実行可能な処理内容を指定する処理内容指定データと、を前記特別無線タグに書き込み登録する登録手段と、を備えることを特徴とする。
【発明の効果】
【００２２】
請求項１記載の通信装置によれば、複数の無線タグから読み出された無線タグデータの種別が記憶手段に記録された種別組合せ情報と一致すると、判断手段によって判断された場合に、当該種別組合せ情報と対応付けられた処理内容情報を記憶手段から特定し、当該処理内容情報に基づき、読み出した無線タグデータを用いた処理内容を実行することができる。
即ち、当該通信装置によれば、所定の無線タグデータが書き込まれた複数の無線タグを読出手段により読み出させる操作を行うだけで、ユーザは、ユーザ所望の処理内容情報に基づく処理を、確実且つ自動的に、当該通信装置に実行させうる。これにより、当該通信装置は、ユーザ所望の処理の実行に際し、無線タグを有効活用して「ユーザ操作の簡略化」という利便性を提供できる。
【００２３】
又、当該通信装置によれば、種別組合せ情報と、処理内容情報が相互に対応付けられているため、特定手段による複数の無線タグデータの種別の特定により、自動的に対応する処理内容が特定される。この結果、ユーザは、無線タグデータを入力した後に、処理内容を指定する操作等を行うことなく、所望の処理の実行終了を待つだけでよい。つまり、当該通信装置は、従来以上に「処理内容の指定に係る操作の省略」という利便性をユーザに提供しうる。
【００２４】
請求項２記載の通信装置によれば、特定手段は、主要データ及び種別データを区別可能に含む無線タグデータの種別を、当該種別データに基づいて特定する。即ち、無線タグデータ全体ではなく、種別データのみを参照することで、無線タグデータの種別を特定できるので、当該通信装置は、無線タグデータの種別を特定する際の精度を向上させることができる。又、無線タグデータの種別の特定に係る処理を簡略化することができるので、当該通信装置は、ユーザ所望の処理を迅速に実行することが可能となる。
【００２５】
請求項３記載の通信装置によれば、判断手段により特定された種別組合せと同一種別で構成される種別組合せ情報が前記記憶手段に複数記憶されている場合、機能検出手段により、前記機能選択手段で選択されている機能を検出する。そして、当該通信装置は、機能検出手段によって検出された機能に基づいて、実行する処理内容を特定し、実行しうる。即ち、当該通信装置によれば、同一の種別組合せを示す複数の種別組合せ情報に対して、夫々異なる処理内容情報を対応付けた場合でも、機能検出手段により、選択されている機能に応じた処理内容を特定できる。つまり、当該通信装置によれば、或る種別組合せの無線タグを読み出した場合でも、選択されている機能に応じて、異なる処理内容を実行させることができ、ユーザに「或る種別組合せに対する処理内容の多様性」という利便性を提供しうる。
【００２６】
請求項４記載の通信装置によれば、種別組合せ情報を構成する複数の無線タグは、基本無線タグと、補助無線タグにより構成されている。そして、基本無線タグには、共通使用可能な無線タグデータが書き込まれており、補助無線タグには、特定された処理内容を実行する際に、前記基本無線タグに格納された無線タグデータと関連性を有する無線タグデータが書き込まれている。
即ち、当該通信装置によれば、読出手段により読み出される複数の無線タグの内、補助無線タグを適宜変更することにより、基本無線タグに格納されている無線タグデータを基本とした処理内容情報に基づく処理の結果を適宜、修正・変更することができる。つまり、当該通信装置は、基本無線タグを効果的に活用し、補助無線タグを実行したい処理内容に応じて変更することで、より多くの処理に対応し得る。
【００２７】
請求項５記載の通信装置によれば、基本無線タグが付加されているキャリアシートに、補助無線タグが付加された原稿を収納し、この態様で読出手段による無線タグデータの読出を行うことで、基本無線タグ及び補助無線タグから、確実に必要な無線タグデータの読出を行うことができる。
又、キャリアシートに基本無線タグが付加されているので、必然的に数が多くなる原稿と区別することができ、もって、基本無線タグの紛失を防止することができる。
【００２８】
請求項６記載の通信装置によれば、読出手段により読み出された無線タグデータの種別が同報送信種別と相手先番号種別により構成される種別組合せ情報と一致した場合、記憶手段に記憶されている処理内容情報に基づいて、同報送信データに規定されている複数の相手先について、相手先番号データが示す相手先に関する編集を行った上で、前記送信手段により画像データを送信する処理を実行することができる。
即ち、当該通信装置によれば、複数の無線タグから無線タグデータを読み出させるだけで、同報送信データが示す複数の送信相手先に、相手先番号データに係る相手先を追加する編集又は除外する編集を行って、ファクシミリ送信を行うことができる。
これにより、当該通信装置によれば、ユーザは、「同報送信先の編集操作」を行うことなく、複数の無線タグからのデータの読出を行わせるだけで、所望の同報送信先にファクシミリ送信を行うことができる。即ち、当該通信装置は、「同報送信に係る操作の簡略化」という利便性を、ユーザに提供しうる。
【００２９】
請求項７記載の通信装置によれば、読出手段により読み出された無線タグデータの種別が外線番号種別と内線番号種別により構成される種別組合せ情報と一致した場合、記憶手段に記憶されている処理内容情報に基づいて、外線番号データに規定されている外線番号を送出した後、内線番号データが示す内線番号を送出する処理を実行することができる。
即ち、当該通信装置によれば、複数の無線タグから無線タグデータを読み出させるだけで、外線番号及び内線番号により特定される相手先に、ファクシミリ送信を行うことができる。例えば、或る通信先の外線番号と、当該通信先内の更に特定の通信先を示す内線番号とが存在する場合、当該通信装置によれば、複数の無線タグから無線タグデータを読み出させるだけで、当該通信先内の特定の通信先に対してファクシミリ送信を行うことができる。又、内線番号データが書き込まれている無線タグを変更することで、当該通信装置は、他の特定の通信先に対しても、同様にファクシミリ送信を行うことができる。
これにより、当該通信装置は、ユーザに、「外線番号及び内線番号の入力操作の省略」という利便性を提供することができる。
【００３０】
請求項８記載の通信装置によれば、ユーザは、登録手段により、任意に選択された種別組合せ情報と、当該種別組合せ情報に関連し、通信装置において実行させるユーザ所望の処理内容を示す処理内容情報と、を対応付けて、記憶手段に記憶させることができる。
即ち、当該通信装置によれば、ユーザは、任意の種別組合せを指定し、当該種別組合せを構成する種別に係る無線タグデータを利用した処理内容を、当該通信装置に自動的に実行させることができる。この結果、当該通信装置は、「ユーザ所望の処理に要する操作の簡略化」という利便性をユーザに提供することができる。
【００３１】
請求項９記載の通信装置によれば、通常無線タグから読み出された無線タグデータの種別が、特別無線タグに係る種別指定データにより指定された種別に一致すると、判断手段によって判断された場合、特別無線タグに係る処理内容指定データに基づく処理内容を、通常無線タグから読み出された無線タグデータを利用して実行できる。
即ち、当該通信装置によれば、特別無線タグ及び通常無線タグから無線タグデータを読出手段により読み出させる操作を行うだけで、ユーザは、ユーザ所望の処理内容情報に基づく処理を、確実且つ自動的に、当該通信装置に実行させうる。これにより、当該通信装置は、ユーザ所望の処理の実行に際し、無線タグを有効活用して「ユーザ操作の簡略化」という利便性を提供できる。
【００３２】
更に、特定手段は、主要データ及び種別データを区別可能に含む通常無線タグの無線タグデータの種別を、当該種別データに基づいて特定する。即ち、無線タグデータ全体ではなく、種別データのみを参照することで、無線タグデータの種別を特定できるので、当該通信装置は、通常無線タグに係る無線タグデータの種別を特定する際の精度を向上させることができる。又、無線タグデータの種別の特定に係る処理を簡略化することができるので、当該通信装置は、ユーザ所望の処理を迅速に実行することが可能となる。
【００３３】
請求項１０記載の通信装置によれば、特別無線タグには、共通使用可能な主要データが書き込まれており、通常無線タグには、処理内容指定データにより特定される処理内容を実行する際に、前記特別無線タグに格納された主要データと関連性を有する主要データが書き込まれている。
即ち、当該通信装置によれば、読出手段により読み出される通常無線タグを適宜変更することにより、特別無線タグに格納されている主要データを基本とした処理内容情報に基づく処理の結果を適宜、修正・変更することができる。つまり、当該通信装置は、特別無線タグを効率的に活用し、通常無線タグを実行したい処理内容に応じて変更することで、より多くの処理に対応しうる。
【００３４】
請求項１１記載の通信装置によれば、特別無線タグが付加されているキャリアシートに、通常無線タグが付加された原稿を収納し、この態様で読出手段による無線タグデータの読出を行うことで、特別無線タグ及び通常無線タグから、確実に必要な無線タグデータの読出を行うことができる。
又、キャリアシートに特別無線タグが付加されているので、必然的に数が多くなる原稿と区別することができ、もって、特別無線タグの紛失を防止することができる。
【００３５】
請求項１２記載の通信装置によれば、特別無線タグの無線タグデータに同報送信データが含まれており、特別無線タグの種別指定データが指定する相手先番号種別が、通常無線タグの無線タグデータの種別である場合、特別無線タグの処理内容指定データに基づいて、同報送信データに規定されている複数の相手先について、相手先番号データが示す相手先に関する編集を行った上で、前記送信手段により画像データを送信する処理を実行することができる。
即ち、当該通信装置によれば、複数の無線タグから無線タグデータを読み出させるだけで、同報送信データが示す複数の送信相手先について、相手先番号データに係る相手先を追加する編集又は除外する編集を行った上で、ファクシミリ送信を行うことができる。
これにより、当該通信装置によれば、ユーザは、「同報送信先の編集操作」を行うことなく、複数の無線タグからのデータの読出を行わせるだけで、所望の同報送信先にファクシミリ送信を行うことができる。即ち、当該通信装置は、「同報送信に係る操作の簡略化」という利便性を、ユーザに提供しうる。
【００３６】
請求項１３記載の通信装置によれば、特別無線タグの無線タグデータに外線番号データが含まれており、特別無線タグの種別指定データが指定する内線番号種別が、通常無線タグの無線タグデータの種別である場合、特別無線タグの処理内容指定データに基づいて、外線番号データに規定されている外線番号を送出した後、内線番号データが示す内線番号を送出する処理を実行することができる。
即ち、当該通信装置によれば、複数の無線タグから無線タグデータを読み出させるだけで、外線番号及び内線番号により特定される相手先に、ファクシミリ送信を行うことができる。例えば、或る通信先の外線番号と、当該通信先内の更に特定の通信先を示す内線番号とが存在する場合、当該通信装置によれば、複数の無線タグから無線タグデータを読み出させるだけで、当該通信先内の特定の通信先に対してファクシミリ送信を行うことができる。
これにより、当該通信装置は、ユーザに、「外線番号及び内線番号の入力操作の省略」という利便性を提供することができる。又、内線番号データが書き込まれている無線タグを変更することで、当該通信装置は、他の特定の通信先に対しても、同様にファクシミリ送信を行うことができる。
【００３７】
請求項１４記載の通信装置によれば、ユーザは、登録手段により、任意に選択された種別指定データと、当該種別指定データに関連し、通信装置において実行させるユーザ所望の処理内容を示す処理内容指定データと、を対応付けて、特別無線タグに書き込むことができる。
即ち、当該通信装置によれば、ユーザは、任意の無線タグデータの種別を指定し、当該種別に係る無線タグデータを利用した処理内容指定することにより、無線タグデータの読出を実行させるだけで、当該通信装置に自動的に所望の処理を実行させることができる。この結果、当該通信装置は、「ユーザ所望の処理に要する操作の簡略化」という利便性をユーザに提供することができる。
【発明を実施するための最良の形態】
【００３８】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。図１に示すように、ファクシミリ装置１は、自動原稿送り装置２と、スキャナ部３と、プリンタ部４と、給紙トレイ部５とを有する。
【００３９】
自動原稿送り装置２は、原稿載置部２Ａを備えている。ファクシミリ送信される原稿はこの原稿載置部２Ａに原稿面を下向きにして載置される。そして、ユーザによりスタートキー（図示せず）が押下されると、その原稿は１ページずつ送られ、スキャナ部３による画像データの読み取りが行われる。スキャナ部３による読取後、当該原稿は、原稿排出口（図示せず）から排出される。
【００４０】
スキャナ部３は、無線タグリーダ１５と、無線タグライタ１６と、スキャナ装置２２とを備えている。無線タグリーダ１５は、自動原稿送り装置２により送られてきた原稿（後述するキャリアシートに収納された原稿も含む）及びキャリアシートに無線タグが付加されていた場合、無線によりその無線タグからデータを読み出す。無線タグライタ１６は、前記原稿やキャリアシートに付加された無線タグに対し、無線によりデータ（後述する無線タグデータ等）を書き込む。また、スキャナ装置２２は、無線タグの有無に関わらず、自動原稿送り装置２により送られる原稿の画像データを読み取る。
【００４１】
プリンタ部４は、レーザプリンタ３０を有して構成されている。レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。
【００４２】
給紙トレイ部５は、第１給紙トレイ５１、第２給紙トレイ５２、第３給紙トレイ５３を備えている。そして、第１給紙トレイ５１〜第３給紙トレイ５３には、夫々、記録用紙が積層状態で格納されている。これら記録用紙には、ファクシミリ受信時等において、レーザプリンタ３０により、ファクシミリデータに基づく画像が印刷される。
【００４３】
次に、本実施形態に係るファクシミリ装置１の制御系構成について、図面を参照しつつ詳細に説明する。図２は、ファクシミリ装置１の制御系構成を示すブロック図である。ファクシミリ装置１は、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００４４】
ファクシミリ装置１のＣＰＵ１１は、ファクシミリ装置１における各種制御の中枢を担う中央演算装置である。そして、ＣＰＵ１１は、回線制御を行うＮＣＵ１９を介して送受信される各種信号に従って、バスライン２５により接続された装置各部を制御してファクシミリ動作、即ち、データ通信を実行する。ＲＯＭ１２は、このファクシミリ装置１で実行される制御プログラムを格納した書換不能なメモリである。当該ＲＯＭ１２には、後述するメイン制御プログラム（図６参照）及びモード選択処理プログラム（図７参照）等の各種制御プログラムが格納されている。
【００４５】
ＲＡＭ１３は、ファクシミリ装置１の各動作の実行時に、各種のデータを一時的に記憶するためのメモリである。当該ＲＡＭ１３は、送信ファクシミリデータ記憶エリア１３１、受信ファクシミリデータ記憶エリア１３２、無線タグデータ記憶エリア１３３を備えている。
【００４６】
送信ファクシミリデータ記憶エリア１３１は、スキャナ装置２２により読み取られた原稿の画像データを含むファクシミリデータが格納される記憶エリアである。そして、受信ファクシミリデータ記憶エリア１３２は、受信したファクシミリデータが一時的に格納される記憶エリアである。
【００４７】
無線タグデータ記憶エリア１３３は、無線タグリーダ１５によって読み取られた無線タグデータが格納される記憶エリアである。従って、後述する通常無線タグ６２や特別無線タグ７２に書き込まれている無線タグデータは、無線タグリーダ１５により、読み出されると、当該無線タグデータ記憶エリア１３３に格納される。
【００４８】
フラッシュメモリ１４は、書換可能な不揮発性のメモリである。そして、フラッシュメモリ１４には、特殊処理データ記憶エリア１４１、電話帳データ記憶エリア１４２が形成されている。特殊処理データ記憶エリア１４１には、種別組合せデータ及び処理内容指定データにより構成される特殊処理データが記憶される（図９参照）。そして、この特殊処理データには、任意にモード指定データが付加される。この特殊処理データ記憶エリア１４１の記憶内容及び特殊処理データの内容については、後に図面を参照しつつ詳細に説明する。
【００４９】
そして、電話帳データ記憶エリア１４２は、相手先を識別可能な相手先識別データ（即ち、電話番号やファクシミリ番号等）が記憶される記憶エリアである。この電話帳データ記憶エリア１４２は、各相手先識別データ単位で、相手先名称等の詳細な情報を関連付けて格納することができる（図１１参照）。
【００５０】
図２に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、操作パネル１７、ＬＣＤ１８、アンプ２７を備えている。尚、これらの周辺装置も、バスライン２５を介して相互に接続されている。
【００５１】
無線タグリーダ１５は、上述したように、原稿及びキャリアシートに付加された無線タグ（即ち、通常無線タグ６２、特別無線タグ７２）に格納されている無線タグデータを読み出す装置である。そして、無線タグライタ１６は、無線タグに対して、無線タグデータを書き込む装置である。
【００５２】
そして、ＮＣＵ１９は、交換機２９に対し回線の接続・切断等の通信制御処理を行う装置である。モデム２０は、ファクシミリデータを変調・復調して伝送すると共に伝送制御用の各種手順信号を送受信する装置である。バッファ２１は、相手側ファクシミリ装置との間で送受信される符号化されたファクシミリデータを含むデータを一時的に格納する記憶手段である。
【００５３】
スキャナ装置２２は、上述したように、自動原稿送り装置２の一部を構成し、原稿載置部２Ａからページ単位で送られる原稿を読み取り、ページ単位の画像データを生成する。
【００５４】
符号化部２３は、ファクシミリ送信に際し、スキャナ装置２２により生成された画像データを含むファクシミリデータを符号化する部分である。そして、復号化部２４は、バッファ２１に記憶された受信データを読み出し、これを復号化する部分である。
【００５５】
レーザプリンタ３０は、上述したように、第１給紙トレイ５１〜第３給紙トレイ５３に格納された記録用紙に対して、復号化部２４で復号化された画像データを印刷する装置である。
【００５６】
操作パネル１７は、複数の数字キー及び上述したスタートキー等の複数のキーで構成された操作部である。操作パネル１７を構成する各キーの操作が行われると、入力信号がＣＰＵ１１に送信され、入力信号に基づく制御が行われる。例えば、当該操作パネル１７は、後述するモード選択処理（Ｓ１）における選択操作や、指定処理内容登録画面（図８（ａ）参照）における処理内容等の設定・格納操作、特別無線タグ書込画面（図８（ｂ）参照）における書込内容の設定・書込操作を行う際に用いられる。
【００５７】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８には、当該ファクシミリ装置１で実行しうる機能を選択する際に、モード選択画面が表示される。このモード選択画面には、当該ファクシミリ装置１で実行可能な機能（例えば、「ファックス送信」「電話帳登録」「無線タグ書込」等の機能）を示す選択肢が表示される。又、ＬＣＤ１８には、後述する指定処理内容登録画面（図８（ａ）参照）、特別無線タグ書込画面（図８（ｂ）参照）、ファックス送信画面（図１２参照）或いは同報送信画面（図１４参照）が表示される。
又、アンプ２７には、スピーカ２８が接続され、呼出音などをこのスピーカ２８から出力する。
【００５８】
更に、ファクシミリ装置１は、ＮＣＵ１９、電話回線４１を介して、交換機２９に接続されている。この交換機２９は、電話回線４２を介して、相手先装置側の交換機に接続され、更に電話回線を介して相手先装置に接続されている。従って、ファクシミリ装置１は、電話回線４１、交換機２９、電話回線４２等を介して、相手先装置との間でファクシミリデータの送受信を行うことができる。
【００５９】
次に、本実施形態に係るファクシミリ装置１で利用可能な原稿６１及びキャリアシート８０の構成について、図面を参照しつつ詳細に説明する。図３は、原稿６１及びキャリアシート８０の構成に関する説明図である。
本実施形態に係るファクシミリ装置１で利用される原稿６１には、後述する無線タグ（即ち、後述する補助無線タグ６２Ｂ又は通常無線タグ６２）が付加されている。そして、ファクシミリ装置１においては、当該原稿６１をキャリアシート８０に収納した状態で利用することができる。
【００６０】
この点、キャリアシート８０は、所定の規格（例えば、Ａ４サイズ）で形成された２枚の透明フィルム（例えば、ポリエチレンテレフタレート製フィルム）を重ね合わせ、原稿６１を挟持しつつ収納し得るように形成されている。そして、本実施形態に係るキャリアシート８０には、後述する無線タグ（即ち、後述する基本無線タグ６２Ａ又は特別無線タグ７２）が付加されている（図３参照）。
【００６１】
従って、ファクシミリ装置１においては、キャリアシート８０に送信すべき原稿６１を収納して原稿載置部２Ａに載置すれば、不定形の原稿６１（例えば、名刺、切り抜き記事や異形原稿）や紙質の弱い原稿６１であっても、原稿詰まり等を起こすことなく、自動原稿送り装置２を用いて、当該原稿６１の画像データの読取を行うことができる。
【００６２】
尚、本実施形態における無線タグは、書き込まれている無線タグデータの構成に基づいて、通常無線タグ６２と、特別無線タグ７２とに大別される。更に、通常無線タグ６２は、書き込まれている無線タグデータの具体的内容に応じて、基本無線タグ６２Ａ、補助無線タグ６２Ｂに分類される。つまり、通常無線タグ６２、基本無線タグ６２Ａ、補助無線タグ６２Ｂ及び特別無線タグ７２は、書き込まれている無線タグデータの種類及び具体的内容が異なるのみであり、無線タグ自体の基本的構成は同一である。
【００６３】
次に、ファクシミリ装置１において、キャリアシート８０に収納した原稿６１に対する読取動作について説明する。
ユーザが原稿６１及びキャリアシート８０を原稿載置部２Ａにセットし、操作パネル１７のスタートキー（図示せず）を操作すると、原稿載置部２Ａにセットされた原稿６１及びキャリアシート８０は、自動原稿送り装置２により、スキャナ部３の読取位置に送られる。
【００６４】
ここで、スキャナ部３のスキャナ装置２２に対し相対移動する原稿６１及びキャリアシート８０の移動経路には、無線タグリーダ１５によるデータ読出位置が設けられている（図１参照）。従って、自動原稿送り装置２により、原稿６１及びキャリアシート８０がスキャナ装置２２の読取位置へ移動する過程で、無線タグリーダ１５は、当該原稿６１及びキャリアシートに付加された無線タグ（即ち、通常無線タグ６２、特別無線タグ７２）の無線タグデータを読み出すことができる。
この結果、当該ファクシミリ装置１は、スキャナ装置２２による原稿６１の画像データの読取とほぼ同時に、無線タグリーダ１５による各無線タグの無線タグデータの読取を行うことができる。つまり、ユーザは、原稿６１を原稿載置部２Ａに載置し、スタートキーを操作する間便な作業を行うだけで、画像データ及び無線タグデータを、ファクシミリ装置１に読み取らせることができる。
【００６５】
次に、本実施形態に係る無線タグ、無線タグリーダ１５、無線タグライタ１６の構成について、図面を参照しつつ詳細に説明する。先ず、無線タグの構成について図面を参照しつつ説明する。図４（ａ）は、本実施形態に係る無線タグの構成を示すブロック図である。この点、上述したように、通常無線タグ６２、特別無線タグ７２は、無線タグデータの構成及び具体的内容が異なるのみであり、同一の構成である。従って、通常無線タグ６２の構成を詳細に説明し、特別無線タグ７２に関する説明は省略する。
【００６６】
図４（ａ）に示すように、通常無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７を備えている。アンテナ用コイル６２１は、共振コンデンサ６２２と並列に接続されて共振回路を構成し、無線タグリーダ１５又は無線タグライタ１６から送信される所定の高周波数の電力用電波振動を受信して、当該電力用電波信号を整流・平滑回路６２３に供給する。
【００６７】
整流・平滑回路６２３は、動力用電源回路を構成する回路である。そして、整流・平滑回路６２３は、共振回路から送信されてきた電力用電波信号を整流・平滑化して一定電圧の直流電力にしてＣＰＵ６２５等に供給する。
【００６８】
尚、無線タグリーダ１５又は無線タグライタ１６からの送信信号は、電力用電波信号に重畳して送信される。そして、当該送信信号は、変復調回路６２４により復調され、ＣＰＵ６２５に与えられる。
【００６９】
ＣＰＵ６２５は、ＲＯＭ６２６に記憶された動作プログラムに従って動作し、変復調回路６２４からの信号に応じた所定の処理を実行する。即ち、ＣＰＵ６２５は、受信したデータを無線タグデータとしてＥＥＰＲＯＭ６２７に書き込む書込処理や、ＥＥＰＲＯＭ６２７から無線タグデータを読み出し、変復調回路６２４により変調した後、アンテナ用コイル６２１により電波信号として送信する読出処理等を実行する。
【００７０】
次に、本実施形態に係る無線タグリーダ１５、無線タグライタ１６の構成について、図面を参照しつつ詳細に説明する。図４（ｂ）は、無線タグリーダ１５、無線タグライタ１６の構成を示すブロック図である。
【００７１】
図５（ｂ）に示すように、無線タグリーダ１５は、受信アンテナ用コイル１５１と、受信部１５２を備えて構成されている。従って、無線タグリーダ１５は、通常無線タグ６２や特別無線タグ７２から送信された電波信号を受信アンテナ用コイル１５１で受信できる。そして、無線タグリーダ１５は、受信アンテナ用コイル１５１で受信した電波信号を受信部１５２で復調することで、無線タグデータとして弁別する。これにより、無線タグリーダ１５は、通常無線タグ６２から無線タグデータを読み出すことができる。この点、上述したように、特別無線タグ７２の構成は、通常無線タグ６２と同一の構成であるため、無線タグリーダ１５は、通常無線タグ６２と同様に、特別無線タグ７２の無線タグデータを読み出すことができる。
【００７２】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信することができる。更に、無線タグライタ１６は、送信すべき無線タグデータを電力用電波信号に重畳するように送信部１６２で変調して送信アンテナ用コイル１６１から送信できる。これにより、無線タグライタ１６は、通常無線タグ６２に無線タグデータを書き込むことができる。この点、上述したように、特別無線タグ７２の構成は、通常無線タグ６２と同一の構成であるため、無線タグライタ１６は、通常無線タグ６２と同様に、特別無線タグ７２に対しても無線タグデータを書き込むことができる。
【００７３】
続いて、本実施形態における通常無線タグ６２及び特別無線タグ７２に書き込まれている無線タグデータの構成及び具体的内容について、図面を参照しつつ詳細に説明する。即ち、通常無線タグ６２と、特別無線タグ７２の相違点について、図５を参照しつつ詳細に説明する。
【００７４】
先ず、通常無線タグ６２に書き込まれている無線タグデータの構成及び具体的内容について、図５（ａ）を参照しつつ詳細に説明する。当該無線タグデータは、通常無線タグ６２のＥＥＰＲＯＭ６２７に、文字コード等のコードデータの形式で書き込まれている。図５（ａ）に示すように、通常無線タグ６２に係る無線タグデータは、主要データと、種別データと、から構成されている。主要データは、当該無線タグデータの主要部を構成するデータである。そして、種別データは、当該主要データの種別を識別する為のデータであり、当該主要データと関連付けられて記憶されている。
【００７５】
図５（ａ）に示す例に基づいて、通常無線タグ６２に係る無線タグデータを構成する主要データ、種別データについて、具体的に説明する。図５（ａ）の場合、通常無線タグ６２の主要データとして、「同報送信データ」がＥＥＰＲＯＭ６２７に記憶されている。当該「同報送信データ」には、同報送信の対象である送信先の名称（例えば、Taro）及びその送信先のファクシミリ番号（例えば、2223333）を示すデータが複数含まれている。例えば、図５（ａ）に示す同報送信データは、送信先「Taro」に係るデータ、送信先「Jiro」に係るデータ、送信先「Hanako」に係るデータ、送信先「Momoko」に係るデータを含んで構成されている。従って、図５（ａ）に示す「同報送信データ」によれば、４件の同報送信先（即ち、「Taro」「Jiro」「Hanako」「Momoko」）を特定することができる。
【００７６】
そして、図５（ａ）に示す無線タグデータの場合、「同報送信種別」を示す種別データが、主要データである「同報送信データ」に対応付けられている。従って、本実施形態に係るファクシミリ装置１によれば、この種別データを参照することで、当該無線タグデータに係る主要データが「同報送信データ」であることを特定できる。
【００７７】
又、上述したように、通常無線タグ６２は、無線タグデータとして書き込まれている主要データの具体的内容に基づいて、基本無線タグ６２Ａと、補助無線タグ６２Ｂに分類される。基本無線タグ６２Ａは、図９に示す特殊処理データ記憶エリア１４１に記憶されている特殊処理データに係る処理内容指定データに基づく処理を実行する際に、異なる処理内容を実行する場合であっても共通して利用される主要データが書き込まれた無線タグである。尚、図５（ａ）に示す無線タグデータは、基本無線タグ６２Ａに分類されるものである。
【００７８】
一方、補助無線タグ６２Ｂは、特殊処理データ記憶エリア１４１に係る処理内容指定データに基づく処理を実行する際に、基本無線タグ６２Ａの主要データと関連性を有する主要データが無線タグデータとして書き込まれている無線タグである。そして、本実施形態の第１実施パターンとしては、この基本無線タグ６２Ａと補助無線タグ６２Ｂとの組合せによって、実行すべき処理が特定される点を特徴としている。具体的に本実施形態においては、この基本無線タグ６２Ａと補助無線タグ６２Ｂとの組合せによって実行する処理として、例えば、図９に示す内容を想定している。尚、この図９に示す各処理内容は、あくまでも一例であり、この処理内容に限定されるものではない。
【００７９】
この点について、基本無線タグ６２Ａの主要データとして「外線番号データ」が書き込まれている場合に基づいて説明する（図９参照）。図９に示すように、主要データ「外線番号データ」は、本実施形態では「外線番号、内線番号の順に連続してダイヤルし、ファックス送信を行う処理」と、「外線番号、内線番号を電話帳データ記憶エリア１４２に登録する処理」という異なる２つの処理において少なくとも共通して使用されている。従って、この場合における「外線番号データ」は、異なる処理内容を実行する場合であっても共通して利用される主要データである。即ち、この場合に当該「外線番号データ」が書き込まれている無線タグは、「基本無線タグ６２Ａ」に該当する。
【００８０】
一方、補助無線タグ６２Ｂの主要データは、上記処理内容指定データに基づく処理を実行する際に、基本無線タグ６２Ａの主要データと共に利用されるという関連性を有している。例えば、上述した具体例の場合、「内線番号データ」が主要データとして書き込まれている無線タグが補助無線タグ６２Ｂに該当する（図９参照）。又、後述するように、ファクシミリ装置１は、基本無線タグ６２Ａの「外線番号データ」を共通使用し、異なる「内線番号データ」が書き込まれた補助無線タグ６２Ｂを適宜使用することで、「内線番号データ」により特定される他の通信先へもファクシミリ送信しうる。つまり、「通信先の異なるファクシミリ送信」でも基本無線タグ６２Ａを共通使用しうるため、この点からも、当該基本無線タグ６２Ａは、共通して使用できる無線タグであると言い得る。
【００８１】
次に、特別無線タグ７２に書き込まれている無線タグデータの構成及び具体的内容について、図５（ｂ）を参照しつつ詳細に説明する。当該無線タグデータは、特別無線タグ７２のＥＥＰＲＯＭに書き込まれている。
図５（ｂ）に示すように、特別無線タグ７２に係る無線タグデータは、主要データと、種別データと、種別指定データと、処理内容指定データと、から構成されている。上述したように、主要データは当該無線タグデータの主要部を構成するデータであり、種別データは当該主要データの種別を識別する為のデータである。
【００８２】
そして、種別指定データは、当該特別無線タグ７２と同時期に読み出された無線タグに係る主要データの種別を指定するデータである。例えば、特別無線タグ７２が付加されたキャリアシート８０に、通常無線タグ６２が付加された原稿６１を収納し（図３（ｂ）参照）、これをファクシミリ装置１の無線タグリーダ１５により読み取った場合に、当該特別無線タグ７２の種別指定データは、通常無線タグ６２に係る主要データの種別を指定する。
【００８３】
処理内容指定データは、所定の条件を満たした場合に、他の無線タグに格納されている主要データを利用して実行する処理内容を指定するデータである。特別無線タグ７２に係る処理内容指定データにおいては、所定の条件として、当該特別無線タグ７２と同時期に読み出された通常無線タグ６２に係る種別データが前記種別指定データで指定された種別と一致することが要求される。ここで、同時期としては、１枚の原稿６１（キャリアシート８０）の読取開始から読取終了までの期間を対象とするが、１回のスタートキーの操作による読取開始から、原稿載置部２Ａに載置された全ての原稿６１等の読取が終了するまでの期間を対象とすることも可能である。又、完全に同時期に読み出された無線タグデータに限らず、所定期間（例えば、数秒間）内に読み出された無線タグデータを対象とすることも可能である。
尚、この処理内容指定データにより指定される処理内容は、ファクシミリ装置１で実行可能であり、通常無線タグ６２の主要データを利用する処理であればよい。
【００８４】
本実施形態においては、この特別無線タグ７２に記憶される無線タグデータの内容として、例えば、図１０に示す内容を想定している。この図１０に示す内容は、あくまでも一例であり、この内容に限定されるものではない。そして、本実施形態の第２実施パターンは、この特別無線タグ７２と、その無線タグデータに含まれている種別指定データによって特定される通常無線タグ６２との組合せによって、実行すべき処理が特定される点を特徴としている。第１実施パターンとの相違は、ファクシミリ装置１のメモリを利用することなく実現できる点にある。つまり、第１実施パターンでは、基本無線タグ６２Ａと補助無線タグ６２Ｂとの組合せ（種別組合せ指定データ）、及びそれに対応する処理内容（処理内容指定データ）が、ファクシミリ装置１のフラッシュメモリ１４内に記憶されて管理されている。これに対し、第２実施パターンでは、処理内容指定データが特別無線タグ７２に記憶されているため、ファクシミリ装置１のメモリを利用することなく実現できる。
【００８５】
ここで、図５（ｂ）に示す例に基づいて、特別無線タグ７２に係る無線タグデータを構成する主要データ、種別データ、種別指定データ、処理内容指定データについて、具体的に説明する。この場合、特別無線タグ７２の主要データとして、「外線番号データ」がＥＥＰＲＯＭに記憶されている。当該「外線番号データ」には、ファクシミリ送信先の名称（例えば、○×工業）及び外線番号（例えば、0123456）が含まれている（図５（ｂ）参照）。そして、当該特別無線タグ７２の種別データとしては、「外線番号種別」を示す種別データがＥＥＰＲＯＭに記憶されている。
【００８６】
この図５（ｂ）に示す場合、特別無線タグ７２に係る種別指定データは、「内線番号種別」を指定している。そして、当該特別無線タグ７２の処理内容指定データは、「ファックス送信」という処理内容を指定している。この場合における処理内容「ファックス送信」は、上記種別指定データで指定された「内線番号種別」に対応する通常無線タグ６２の主要データ「内線番号データ」を利用した「ファックス送信」を指定している。具体的には、図５（ｂ）に示す特別無線タグ７２は、図１０における「特別無線タグ（１）」に相当するものである。従って、当該処理内容指定データに基づく処理として、特別無線タグ７２の「外線番号データ」が示す外線番号を送出し、当該外線番号データに係る相手先との間の回線が接続されたことを条件に、通常無線タグ６２に係る「内線番号データ」に係る内線番号を送出し、ファクシミリ送信を行う処理が行われる。この態様に係る処理の詳細については、後に図面を参照しつつ詳細に説明する。
【００８７】
次に、本実施形態に係るファクシミリ装置１のメイン制御プログラムについて、図面を参照しつつ詳細に説明する。図６は、メイン制御プログラムのフローチャートである。このメイン制御プログラムに基づく処理は、ファクシミリ装置１の起動中において繰り返し実行される。
又、当該メイン制御プログラムの説明に際し、ファクシミリ装置１の原稿載置部２Ａには、キャリアシート８０に収納された原稿６１（図３（ａ）又は図３（ｂ）参照）が載置されているものとする。
【００８８】
メイン制御プログラムの実行が開始されると、先ず、ＣＰＵ１１は、モード選択処理（Ｓ１）を実行する。このモード選択処理（Ｓ１）は、当該ファクシミリ装置１で実行可能な機能（例えば、「ファックス送信」「電話帳登録」「無線タグ書込」等の機能）から一の機能を選択設定する処理である。モード選択処理（Ｓ１）を終了すると、ＣＰＵ１１は、Ｓ２に処理を移行する。
【００８９】
ここで、モード選択処理（Ｓ１）において実行されるモード選択処理プログラムについて、図面を参照しつつ詳細に説明する。図７は、モード選択処理プログラムのフローチャートである。
【００９０】
モード選択処理（Ｓ１）に移行すると、ＣＰＵ１１は、先ず、モード選択画面表示処理（Ｓ２１）を実行する。具体的には、ＣＰＵ１１は、ＬＣＤ１８に「モード選択画面」を表示する。この「モード選択画面」では、当該ファクシミリ装置１で実行可能な機能（例えば、「ファックス送信」「電話帳登録」「無線タグ書込」等の機能）を示す選択肢が表示される。「モード選択画面」をＬＣＤ１８に表示した後、ＣＰＵ１１は、Ｓ２２に処理を移行する。
【００９１】
Ｓ２２に移行すると、ＣＰＵ１１は、操作パネル１７によるモード選択操作が実行されたか否かを判断する。モード選択操作がユーザにより行われた場合（Ｓ２２：ＹＥＳ）、ＣＰＵ１１は、Ｓ２３に処理を移行する。一方、モード選択操作が行われなかった場合（Ｓ２２：ＮＯ）、ＣＰＵ１１は、そのままモード選択処理プログラムを終了し、メイン制御プログラムのＳ２に処理を移行する。この場合においては、現在設定されているモードが維持される。
【００９２】
Ｓ２３に移行すると、ＣＰＵ１１は、「指定処理内容登録モード」を選択するモード選択操作が行われたか否かを判断する。具体的には、ＣＰＵ１１は、操作パネル１７からの操作信号に基づいて、選択肢「指定処理内容登録」を選択する操作が行われたか否かを判断する。選択肢「指定処理内容登録」が選択された場合（Ｓ２３：ＹＥＳ）、ＣＰＵ１１は、特殊処理データ登録処理（Ｓ２４）に処理を移行する。一方、選択肢「指定処理内容登録」が選択されなかった場合（Ｓ２３：ＮＯ）、ＣＰＵ１１は、Ｓ２５に処理を移行する。
【００９３】
特殊処理データ登録処理（Ｓ２４）は、ユーザが任意に生成した特殊処理データを特殊処理データ記憶エリア１４１に登録する処理である。従って、この特殊処理データ登録処理（Ｓ２４）を実行することにより、ユーザは、所望の特殊処理データを生成し、フラッシュメモリ１４内の特殊処理データ記憶エリア１４１（図９参照）に登録できる。
【００９４】
具体的には、特殊処理データ登録処理（Ｓ２４）では、ＣＰＵ１１は、指定処理内容登録画面をＬＣＤ１８に表示する（図８（ａ）参照）。上述したように、特殊処理データは、基本的に、種別組合せデータ及び処理内容指定データにより構成される。
【００９５】
種別組合せデータは、２つの通常無線タグ６２の主要データの種別の組合せを指定したデータである。本実施形態においては、図３（ａ）に示すように、基本無線タグ６２Ａが付加されたキャリアシート８０に、補助無線タグ６２Ｂが付加された原稿６１を収納して利用する。従って、ユーザは、指定処理内容登録画面において、基本無線タグ６２Ａに係る主要データの種別と、補助無線タグ６２Ｂに係る主要データの種別を指定することで、種別組合せデータを生成できる（図８（ａ）参照）。
【００９６】
例えば、図８（ａ）の場合、ユーザは、操作パネル１７を操作することで、基本無線タグ６２Ａの種別を「名前種別」、補助無線タグ６２Ｂの種別を「電話番号種別」に指定している。従って、この場合には、種別組合せデータは、「名前種別」と「電話番号種別」の組合せを指定するデータとして生成され、特殊処理データの一部を構成する種別組合せデータとして特殊処理データ記憶エリア１４１に記憶される。
【００９７】
一方、特殊処理データを構成する処理内容指定データは、特別無線タグ７２の場合と同様に、所定の条件を満たした場合に、無線タグに格納されている主要データを利用して実行する処理内容を指定するデータである。従って、指定処理内容登録画面において、基本無線タグ６２Ａに係る主要データと補助無線タグ６２Ｂに係る主要データを利用して実行し得る処理内容を指定することで、処理内容指定データを生成することができる（図８（ａ）参照）。
【００９８】
例えば、図８（ａ）の場合、ユーザは、操作パネル１７を操作することにより、種別組み合わせデータにおいて、「名前種別」と「電話番号種別」からなる種別組合せを指定している。従って、この場合には、ユーザは、処理内容指定データにおける処理内容としては、「名前データ」と「電話番号データ」を利用して実行し得る処理内容として、例えば「電話帳登録」を指定できる。これにより、処理内容指定データは、「名前データ」に係る名前と、「電話番号データ」に係る電話番号を関連付けて、電話帳データ記憶エリア１４２に登録するという処理内容を指定するデータとして生成される。そして、当該データは、特殊処理データの一部を構成する処理内容指定データとして特殊処理データ記憶エリア１４１に記憶される。
【００９９】
こうして生成された所望の特殊処理データを特殊処理データ記憶エリア１４１に登録した後、ＣＰＵ１１は、モード選択処理プログラムを終了し、メイン制御プログラムのＳ２に処理を移行する。
【０１００】
Ｓ２５に移行すると、ＣＰＵ１１は、「特別無線タグ書込モード」を選択するモード選択操作が行われたか否かを判断する。具体的には、ＣＰＵ１１は、操作パネル１７からの操作信号に基づいて、選択肢「特別無線タグ書込」を選択する操作が行われたか否かを判断する。選択肢「特別無線タグ書込」が選択された場合（Ｓ２５：ＹＥＳ）、ＣＰＵ１１は、無線タグデータ書込処理（Ｓ２６）に処理を移行する。一方、選択肢「特別無線タグ書込」が選択されなかった場合（Ｓ２５：ＮＯ）、ＣＰＵ１１は、Ｓ２７に処理を移行する。
【０１０１】
無線タグデータ書込処理（Ｓ２６）は、ユーザが任意に設定した内容で種別指定データ、処理内容指定データを生成し、無線タグデータとして、無線タグのＥＥＰＲＯＭに書き込む処理である。従って、この無線タグデータ書込処理（Ｓ２６）を実行することにより、ユーザは、所望の処理内容の実行に使用し得る特別無線タグ７２を生成できる。又、この無線タグデータ書込処理（Ｓ２６）を実行することで、既存の特別無線タグ７２の種別指定データ及び処理内容指定データを変更し、所望の処理の実行に供する特別無線タグ７２とすることも可能である。
【０１０２】
尚、以下の説明において、この無線タグデータ書込処理（Ｓ２６）の実行に際し、無線タグが、無線タグライタ１６の近傍（無線タグデータの書込が可能な範囲）に存在しているものとする。
【０１０３】
具体的には、無線タグデータ書込処理（Ｓ２６）に移行すると、ＣＰＵ１１は、特別無線タグ書込画面をＬＣＤ１８に表示する（図８（ｂ）参照）。ここで、本実施形態においては、図３（ｂ）に示すように、特別無線タグ７２が付加されたキャリアシート８０に、通常無線タグ６２が付加された原稿６１を収納して利用する。従って、特別無線タグ書込画面において、通常無線タグ６２に係る主要データの種別を指定することで、種別指定データを生成できる（図８（ｂ）参照）。
【０１０４】
例えば、図８（ｂ）の場合、ユーザは、操作パネル１７を操作することで、通常無線タグ６２の種別を「電話番号種別」に指定している。従って、この場合には、種別指定データは、通常無線タグ６２に係る種別として「電話番号種別」を指定するデータとして生成され、特別無線タグ７２のＥＥＰＲＯＭに書き込まれる。
【０１０５】
一方、特別無線タグ７２に係る処理内容指定データは、種別指定データにより指定された無線タグデータの種別に関連し、ファクシミリ装置１において実行可能な処理内容を指定するデータである（図１０参照）。
【０１０６】
例えば、図８（ｂ）の場合、当該特別無線タグ７２には、「同報送信種別」を示す種別データと、主要データとしての「同報送信データ」が書き込まれている。従って、特別無線タグ書込画面において、特別無線タグ７２に係る主要データ「同報送信データ」と、種別指定データにより指定された種別に係る主要データ（この場合、「電話番号データ」）を利用して実行し得る処理内容（例えば、「無線タグ書込」や「ファクシミリ送信」）を指定することで、処理内容指定データを生成できる（図８（ｂ）、図１０参照）。
【０１０７】
尚、処理内容「無線タグ書込」を指定した場合、当該処理内容指定データが指定する処理内容は、特別無線タグ７２の主要データ「同報送信データ」に基づく同報送信先に、通常無線タグ６２の主要データ「電話番号データ」に係る送信先を追加書込する処理が指定される（図１０における特別無線タグ（５）に相当）。
【０１０８】
こうして、特別無線タグ書込画面（図８（ｂ）参照）に従って、所望の種別指定データ、処理内容指定データを生成し、無線タグのＥＥＰＲＯＭに書き込んだ後、ＣＰＵ１１は、モード選択処理プログラムを終了し、メイン制御プログラムのＳ２に処理を移行する。
【０１０９】
Ｓ２７に移行すると、ＣＰＵ１１は、「ファックス送信モード」を選択するモード選択操作が行われたか否かを判断する。具体的には、ＣＰＵ１１は、操作パネル１７からの操作信号に基づいて、選択肢「ファックス送信」が選択する操作が行われたか否かを判断する。選択肢「ファックス送信」が選択された場合（Ｓ２７：ＹＥＳ）、ＣＰＵ１１は、Ｓ２８に処理を移行する。一方、選択肢「ファックス送信」が選択されなかった場合（Ｓ２７：ＮＯ）、ＣＰＵ１１は、Ｓ２９に処理を移行する。
【０１１０】
選択肢「ファックス送信」が選択されると（Ｓ２７：ＹＥＳ）、ＣＰＵ１１は、「ファックス送信モード」を示すファックス送信フラグをＲＡＭ１３に格納する（Ｓ２８）。この時、ＣＰＵ１１は、設定前のモードを示すフラグを、ＲＡＭ１３から消去する。ファックス送信フラグをＲＡＭ１３に格納した後、ＣＰＵ１１は、モード選択処理プログラムを終了し、メイン制御プログラムのＳ２に処理を移行する。
【０１１１】
Ｓ２９においては、ＣＰＵ１１は、「電話帳登録モード」を選択するモード選択操作が行われたか否かを判断する。具体的には、ＣＰＵ１１は、操作パネル１７からの操作信号に基づいて、選択肢「電話帳登録」を選択する操作が行われたか否かを判断する。選択肢「電話帳登録」が選択された場合（Ｓ２９：ＹＥＳ）、ＣＰＵ１１は、Ｓ３０に処理を移行する。一方、選択肢「電話帳登録」が選択されなかった場合（Ｓ２９：ＮＯ）、ＣＰＵ１１は、Ｓ３１に処理を移行する。
【０１１２】
選択肢「電話帳登録」が選択されると（Ｓ２９：ＹＥＳ）、ＣＰＵ１１は、「電話帳登録モード」を示す電話帳登録フラグをＲＡＭ１３に格納する（Ｓ３０）。この時、ＣＰＵ１１は、設定前のモードを示すフラグを、ＲＡＭ１３から消去する。電話帳登録フラグをＲＡＭ１３に格納した後、ＣＰＵ１１は、モード選択処理プログラムを終了し、メイン制御プログラムのＳ２に処理を移行する。
【０１１３】
Ｓ３１に移行すると、ＣＰＵ１１は、「無線タグ書込モード」を選択するモード選択操作が行われたか否かを判断する。具体的には、ＣＰＵ１１は、操作パネル１７からの操作信号に基づいて、選択肢「無線タグ書込」を選択する操作が行われたか否かを判断する。選択肢「無線タグ書込」が選択された場合（Ｓ３１：ＹＥＳ）、ＣＰＵ１１は、Ｓ３２に処理を移行する。一方、選択肢「無線タグ書込」が選択されなかった場合（Ｓ３１：ＮＯ）、ＣＰＵ１１は、そのままモード選択処理プログラムを終了し、メイン制御プログラムのＳ２に処理を移行する。
【０１１４】
選択肢「無線タグ書込」が選択されると（Ｓ３１：ＹＥＳ）、ＣＰＵ１１は、「無線タグ書込モード」を示す無線タグ書込フラグをＲＡＭ１３に格納する（Ｓ３２）。この時、ＣＰＵ１１は、設定前のモードを示すフラグを、ＲＡＭ１３から消去する。無線タグ書込フラグをＲＡＭ１３に格納した後、ＣＰＵ１１は、モード選択処理プログラムを終了し、メイン制御プログラムのＳ２に処理を移行する。
【０１１５】
ここで、再び図６に戻り、モード選択処理（Ｓ１）終了後のメイン制御プログラムに基づく処理について説明する。モード選択処理（Ｓ１）を終了すると、ＣＰＵ１１は、原稿載置部２Ａに載置された原稿６１等からのデータの読取を実行する（Ｓ２）。具体的には、ＣＰＵ１１は、原稿載置部２Ａから無線タグリーダ１５、スキャナ装置２２の読取位置へ向かって、原稿６１等（即ち、キャリアシート８０を含む）を搬送する。
尚、当該原稿６１等がスキャナ装置２２の読取位置に搬送された場合、ＣＰＵ１１は、スキャナ装置２２により、読取位置に位置する原稿６１の画像データを取得し、送信ファクシミリデータ記憶エリア１３１に格納する。
【０１１６】
Ｓ３に移行すると、ＣＰＵ１１は、現時点において、搬送されている原稿６１又はキャリアシート８０の無線タグ（通常無線タグ６２、特別無線タグ７２）を検出したか否かを判断する。原稿６１又はキャリアシート８０の無線タグを検出した場合（Ｓ３：ＹＥＳ）、ＣＰＵ１１は、検出した無線タグに関する無線タグデータ読取処理（Ｓ４）に処理を移行する。一方、未だ無線タグを検出していない場合（Ｓ３：ＮＯ）、ＣＰＵ１１は、Ｓ６に処理を移行する。
【０１１７】
無線タグデータ読取処理（Ｓ４）に移行すると、ＣＰＵ１１は、無線タグリーダ１５により、Ｓ３で検出した無線タグ（例えば、通常無線タグ６２、基本無線タグ６２Ａ、補助無線タグ６２Ｂ、特別無線タグ７２）から、当該無線タグに書き込まれている無線タグデータを読み出す。ＣＰＵ１１は、読み出した無線タグデータを無線タグデータ記憶エリア１３３に格納し、データ種別特定処理（Ｓ５）に処理を移行する。
【０１１８】
データ種別特定処理（Ｓ５）に移行すると、ＣＰＵ１１は、無線タグデータ記憶エリア１３３を参照し、当該無線タグデータに含まれる種別データに基づいて、当該無線タグに係る主要データの種別を特定する。この時、ＣＰＵ１１は、当該無線タグデータ全体を参照することはなく、当該無線タグの一部を構成する種別データのみを参照し、主要データの種別を特定する。即ち、種別データのみを参照することで、主要データの種別を特定するので、ＣＰＵ１１は、より迅速且つ的確に、主要データの種別を特定できる。当該主要データの種別を特定した結果をＲＡＭ１３に格納した後、ＣＰＵ１１は、Ｓ６に処理を移行する。尚、種別データのみを抽出する際には、予め無線タグデータにおいて、種別データに相当する部分を特定のコードデータで挟んでおき、そのコードデータを認識することで、種別データのみを抽出することが考えられる。
【０１１９】
Ｓ６に移行すると、ＣＰＵ１１は、原稿６１等からのデータ読取が完了したか否かを判断する。原稿６１等からのデータの読取が完了した場合（Ｓ６：ＹＥＳ）、ＣＰＵ１１は、Ｓ７に処理を移行する。例えば、図３に示す場合、この時点におけるファクシミリ装置１のＲＡＭ１３には、原稿６１の画像データ、原稿６１に付加された無線タグ（例えば、補助無線タグ６２Ｂ、通常無線タグ６２）の無線タグデータ、キャリアシート８０に付加された無線タグ（例えば、基本無線タグ６２Ａ、特別無線タグ７２）の無線タグデータが格納される。
一方、原稿６１等からのデータ読取が未だ完了していない場合（Ｓ６：ＮＯ）、ＣＰＵ１１は、Ｓ２に処理を戻す。これにより、ＣＰＵ１１は、当該原稿６１等からのデータの読取を完了するまで、スキャナ装置２２、無線タグリーダ１５による当該原稿６１等に対する画像データ、無線タグデータの読取が行われる。
【０１２０】
Ｓ７に移行すると、ＣＰＵ１１は、当該原稿６１に係るデータの読取に際し、複数の無線タグを検出したか否かについての判断を行う。即ち、ＣＰＵ１１は、当該原稿６１等に対するＳ２〜Ｓ６の処理において、複数の無線タグを検出し、夫々の無線タグデータを読み出したか否かを判断する。ＲＡＭ１３を参照した結果、複数の無線タグを検出している場合（Ｓ７：ＹＥＳ）、ＣＰＵ１１は、モード検出処理（Ｓ８）に処理を移行する。一方、無線タグを複数検出していない場合には（Ｓ７：ＮＯ）、ＣＰＵ１１は、処理内容特定処理（Ｓ１５）に移行する。つまり、当該原稿６１等に無線タグが付加されていない場合又は１つだけ付加されている場合に、処理内容特定処理（Ｓ１５）が実行される。
【０１２１】
Ｓ８に移行すると、ＣＰＵ１１は、モード検出処理を実行する。このモード検出処理（Ｓ８）では、ＣＰＵ１１は、ＲＡＭ１３を参照し、モード選択処理（Ｓ１）で選択されたモード（例えば、「ファックス送信モード」や「電話帳登録モード」）を検出する。ＲＡＭ１３においては、現在設定されているモードがフラグにより管理されているため、このフラグ（例えば、ファックス送信フラグ、電話帳登録フラグ等）に基づいて、現時点におけるファクシミリ装置１のモードを検出した後、ＣＰＵ１１は、Ｓ９に処理を移行する。
【０１２２】
Ｓ９においては、ＣＰＵ１１は、読み出した複数の無線タグに、特別無線タグ７２が含まれているか否かについての判断を行う。上述したように、通常無線タグ６２と特別無線タグ７２は、無線タグデータに「種別指定データ」「処理内容指定データ」を含むか否かにより区別される。従って、ＣＰＵ１１は、無線タグデータ記憶エリア１３３を参照し、「種別指定データ」「処理内容指定データ」を含む無線タグデータが格納されているか否かに基づいて、「特別無線タグ７２」を検出したか否かを判断する。
「種別指定データ」「処理内容指定データ」が含まれているか否かの判断は、例えば、それらのデータを示すコードデータを予め定めておき、そのコードデータの有無によりデータが含まれているかを判断することも可能である。この場合、ファクシミリ装置１は、「種別指定データ」「処理内容指定データ」が含まれているか否かを容易に判断しうる。
【０１２３】
特別無線タグ７２を検出した場合（Ｓ９：ＹＥＳ）、ＣＰＵ１１は、指定処理内容特定処理（Ｓ１０）に処理を移行する。尚、この指定処理内容特定処理（Ｓ１０）では、当該無線タグデータを構成する「処理内容指定データ」に基づいて、指定処理内容を特定する処理が行われる。
一方、特別無線タグ７２を検出しなかった場合（Ｓ９：ＮＯ）、ＣＰＵ１１は、指定処理内容特定処理（Ｓ１１）に処理を移行する。この指定処理内容特定処理（Ｓ１１）では、特殊処理データ記憶エリア１４１を参照し、各特殊処理データに基づいて、指定処理内容を特定する処理が行われる。
【０１２４】
上述したように、特別無線タグ７２を検出した場合（Ｓ９：ＹＥＳ）、ＣＰＵ１１は、指定処理内容特定処理（Ｓ１０）を実行する。
例えば、図３（ｂ）に示すキャリアシート８０及び原稿６１からのデータの読取を行った場合、ＣＰＵ１１は、指定処理内容特定処理（Ｓ１０）を実行する。具体的に説明すると、この場合、ＣＰＵ１１は、先ず、無線タグデータ記憶エリア１３３を参照し、当該特別無線タグ７２の「種別指定データ」が示す種別と、同時期に読み取られた通常無線タグ６２の「種別データ」が示す種別が一致するか否かを判断する。「種別指定データ」が示す種別と「種別データ」が示す種別が一致する場合、ＣＰＵ１１は、特別無線タグ７２の「処理内容指定データ」が指定する処理内容を装置が実行すべき処理に特定する。一方、「種別指定データ」が示す種別と「種別データ」が示す種別が一致しない場合、ＣＰＵ１１は、「指定なし」という処理内容に特定する。処理内容を特定した後、ＣＰＵ１１は、Ｓ１２に処理を移行する。
【０１２５】
一方、特別無線タグ７２を検出しなかった場合（Ｓ９：ＮＯ）、ＣＰＵ１１は、指定処理内容特定処理（Ｓ１１）を実行する。
例えば、図３（ａ）に示すキャリアシート８０及び原稿６１からのデータの読取を行った場合、ＣＰＵ１１は、指定処理内容特定処理（Ｓ１１）を実行する。具体的に説明すると、この場合、ＣＰＵ１１は、無線タグデータ記憶エリア１３３を参照し、複数の無線タグに係る種別データ（即ち、基本無線タグ６２Ａの種別データと、補助無線タグ６２Ｂの種別データ）に基づいて、当該原稿６１等に係る種別組合せを特定する。
【０１２６】
そして、ＣＰＵ１１は、特殊処理データ記憶エリア１４１に記憶されている各特殊処理データの「種別組合せデータ」を参照し、「当該原稿６１等に係る種別組合せ」と一致する種別組合せを指定した「種別組合せデータ」を検索する。検索した結果、「当該原稿６１等に係る種別組合せ」と一致する種別組合せを指定する「種別組合せデータ」が存在した場合、ＣＰＵ１１は、当該「種別組合せデータ」に係る特殊処理データを特定する。そして、ＣＰＵ１１は、当該特殊処理データを構成する「処理内容指定データ」が示す処理内容を実行すべきことを決定する。
一方、検索した結果、「当該原稿６１等に係る種別組合せ」と一致する種別組合せを指定する「種別組合せデータ」が存在しない場合、ＣＰＵ１１は、ＣＰＵ１１は、「指定なし」という処理内容に特定する。
【０１２７】
ここで、検索した結果、「当該原稿６１等に係る種別組合せ」と一致する種別組合せを指定する「種別組合せデータ」を複数検出した場合について説明する。この場合、ＣＰＵ１１は、先ず、ＲＡＭ１３を参照し、モード選択処理（Ｓ１）で選択された現時点におけるモード設定を取得する。そして、ＣＰＵ１１は、現時点におけるモード設定と、特殊処理データ記憶エリア１４１において各「種別組合せデータ」と夫々対応付けられている「モード指定データ」が指定するモードと、を比較し、現時点のモード設定を指定する「モード指定データ」が存在するか否かを判断する。現時点におけるモード設定と一致する「モード指定データ」が存在する場合、ＣＰＵ１１は、当該「モード指定データ」を含む特殊処理データを特定し、当該特殊処理データを構成する「処理内容指定データ」が示す処理内容を実行すべきことを決定する。
即ち、この場合においては、特殊処理データ記憶エリア１４１に記憶されている登録内容に基づいて、基本無線タグ６２Ａ、補助無線タグ６２Ｂに係る種別データに基づく種別組合せを示す「種別組合せデータ」と、現時点におけるモード設定を示す「モード指定データ」と、を含む特殊処理データを構成する処理内容指定データにより、実行すべき処理内容が決定される。処理内容を特定した後、ＣＰＵ１１は、Ｓ１２に処理を移行する。
【０１２８】
Ｓ１２に移行すると、ＣＰＵ１１は、指定処理内容特定処理（Ｓ１０、Ｓ１１）の結果、特別無線タグ７２に係る「処理内容指定データ」が示す処理内容又は、特殊処理データを構成する「処理内容指定データ」が示す処理内容に決定されているか否かについての判断がなされる。「処理内容指定データ」が示す処理内容が決定されている場合（Ｓ１２：ＹＥＳ）、ＣＰＵ１１は、指定処理内容実行処理（Ｓ１３）に処理を移行する。一方、「指定なし」という処理内容が決定されている場合（Ｓ１２：ＮＯ）、ＣＰＵ１１は、通常処理内容実行処理（Ｓ１４）に処理を移行する。
【０１２９】
Ｓ１３においては、ＣＰＵ１１は、指定処理内容実行処理を実行する。この指定処理内容実行処理（Ｓ１３）では、ＣＰＵ１１は、特殊処理データに係る処理内容指定データ又は特別無線タグ７２に係る処理内容指定データに規定されている処理を実行する。例えば、図３（ａ）に示す原稿６１等を使用した場合、ＣＰＵ１１は、指定処理内容特定処理（Ｓ１０）により、特殊処理データ記憶エリア１４１から特定された特殊処理データを構成する「処理内容指定データ」に基づく処理を実行する。当該処理の実行に際し、ＣＰＵ１１は、当該原稿６１等に係る基本無線タグ６２Ａ、補助無線タグ６２Ｂの主要データを利用して処理を実行する。
【０１３０】
一方、図３（ｂ）に示す原稿６１等を使用した場合、ＣＰＵ１１は、指定処理内容特定処理（Ｓ１１）により、キャリアシート８０の特別無線タグ７２に係る「処理内容指定データ」に基づく処理を実行する。この場合、ＣＰＵ１１は、当該原稿６１等に係る特別無線タグ７２、通常無線タグ６２の主要データを利用して処理を実行する。
【０１３１】
特殊処理データに係る処理内容指定データ又は特別無線タグ７２に係る処理内容指定データに規定されている処理を実行した後、ＣＰＵ１１は、当該メイン制御プログラムを終了する。
尚、この指定処理内容実行処理（Ｓ１３）で実行される処理の具体的内容については、後に図面を参照しつつ詳細に説明する。
【０１３２】
そして、Ｓ１４においては、ＣＰＵ１１は、通常処理内容実行処理を実行する。この通常処理内容実行処理（Ｓ１４）では、ＣＰＵ１１は、ＲＡＭ１３を参照し、モード選択処理（Ｓ１）により設定されたモードに基づいて、実行する処理内容を決定する。現在のモード設定に応じた処理内容を決定すると、ＣＰＵ１１は、当該処理内容を実行する。例えば、現在「ファックス送信モード」が設定されている場合、ＣＰＵ１１は、ファックス送信処理を実行する。通常処理内容実行処理（Ｓ１４）を終了すると、ＣＰＵ１１は、メイン制御プログラムを終了する。
【０１３３】
尚、この通常処理内容実行処理（Ｓ１４）への移行時において、無線タグデータ記憶エリア１３３に無線タグデータが格納されている。しかしながら、通常処理内容実行処理（Ｓ１４）では、ＣＰＵ１１は、当該無線タグデータを処理内容の実行に用いることなく、無線タグデータ記憶エリア１３３から消去する。
【０１３４】
一方、無線タグを複数検出しなかった場合（Ｓ９：ＮＯ）に移行する処理内容特定処理（Ｓ１５）では、ＣＰＵ１１は、現在のモード設定や取得した無線タグデータに基づいて、実行すべき処理内容を特定する。例えば、無線タグを一つも検出しなかった場合、ＣＰＵ１１は、ＲＡＭ１３を参照し、モード選択処理（Ｓ１）で設定されたモードに応じた処理を実行すべき処理内容として特定する。
【０１３５】
そして、無線タグを一つ検出した場合、ＣＰＵ１１は、現在のモード設定及び検出した無線タグデータに応じた処理を実行すべき処理内容として特定する。例えば、現在「ファックス送信モード」が設定されており、「電話番号データ」を含む無線タグデータを検出した場合、ＣＰＵ１１は、当該「電話番号データ」が示す送信先へのファクシミリ送信処理を、実行すべき処理内容として特定する。
そして、処理内容を特定した後、ＣＰＵ１１は、処理内容実行処理（Ｓ１６）に処理を移行する。
【０１３６】
処理内容実行処理（Ｓ１６）に移行すると、ＣＰＵ１１は、処理内容特定処理（Ｓ１５）で特定された処理内容を実行する。例えば、現在「ファックス送信モード」が設定されており、「電話番号データ」を含む無線タグデータを検出した場合、ＣＰＵ１１は、当該「電話番号データ」が示す送信先へのファクシミリ送信を実行する。
処理内容実行処理（Ｓ１６）を終了すると、ＣＰＵ１１は、当該メイン制御プログラムを終了する。
【０１３７】
続いて、上記メイン制御プログラムの指定処理内容実行処理（Ｓ１３）における処理内容について、具体例を挙げつつ詳細に説明する。例えば、「名前種別」と「電話番号種別」の種別組合せを示す種別組合せデータと、電話帳データ記憶エリア１４２への登録に関する処理内容指定データを含む特殊処理データが、特殊処理データ記憶エリア１４１に格納されている場合について、具体的に説明する（図９参照）。
【０１３８】
「電話帳登録モード」が設定されたファクシミリ装置１に対して、補助無線タグ６２Ｂが付加された原稿６１を、基本無線タグ６２Ａが付加されたキャリアシート８０に収納して用いる場合について説明する。尚、基本無線タグ６２Ａには、主要データとして「名前データ：Ichiro」が書き込まれており、補助無線タグ６２Ｂには、主要データとして「電話番号データ：8889999」が書き込まれているものとする。そして、当該ファクシミリ装置１の電話帳データ記憶エリア１４２には、「Taro」「Jiro」「Hanako」等の名称及び電話番号のデータが格納されているものとする（図１１（ａ）参照）。又、特殊処理データ記憶エリア１４１には、図９に示す特殊処理データが記憶されているものとする。
【０１３９】
この場合に、当該原稿６１等からデータを取得すると（Ｓ２〜Ｓ６）、キャリアシート８０の基本無線タグ６２Ａに係る無線タグデータ及び原稿６１の補助無線タグ６２Ｂの無線タグデータは、無線タグリーダ１５により読み出され、無線タグデータ記憶エリア１３３に格納される（Ｓ３）。そして、各無線タグデータは、夫々の種別データに基づいて、「名前種別」「電話番号種別」と特定される（Ｓ５）。
【０１４０】
そして、ファクシミリ装置１では、モード検出処理（Ｓ８）において、「電話帳登録モード」と検出され、基本無線タグ６２Ａ、補助無線タグ６２Ｂから無線タグデータを取得しているため（Ｓ９：ＹＥＳ）、指定処理内容特定処理（Ｓ１０）が実行される。
上述したように、当該ファクシミリ装置１は、「電話帳登録モード」に設定されており、無線タグデータ記憶エリア１３３に「名前種別」「電話番号種別」に係る無線タグデータが格納されている。従って、この場合は、「名前種別」「電話番号種別」を指定する種別組合せデータ、「電話帳登録モード」を指定するモード指定データを含む特殊処理データが、特殊処理データ記憶エリア１４１から抽出され、当該特殊処理データに係る処理内容指定データ（名前、電話番号を電話帳データ記憶エリア１４２に登録）に基づく処理内容に決定される（図９参照）。
【０１４１】
これにより、指定処理内容実行処理（Ｓ１３）では、当該特殊処理データを構成する処理内容指定データが示す処理が実行される。即ち、この場合、ファクシミリ装置１は、「名前データに基づく名前（Ichiro）と、電話番号データに基づく電話番号（8889999）を電話帳データ記憶エリア１４２に登録するという処理」を実行する。
この結果、ファクシミリ装置１の電話帳データ記憶エリア１４２には、「名前：Ichiro」「電話番号：8889999」に係るデータが追加記録される（図１１（ｂ）参照）。
【０１４２】
このように、本実施形態に係るファクシミリ装置１によれば、所定の無線タグデータが書き込まれた基本無線タグ６２Ａ、補助無線タグ６２Ｂが付加された原稿６１及びキャリアシート８０からデータの読取を行うだけで、「電話帳データ記憶エリア１４２に追加登録」を行うことができる。この点、「名前」や「電話番号」の入力操作を省略することができるので、ファクシミリ装置１は、ユーザの利便性を高めることができる。尚、この一連の処理が、第１実施パターンに相当する。
【０１４３】
尚、上述の具体例では、図３（ａ）に示す原稿６１、キャリアシート８０を用い、特殊処理データに基づき特定した処理内容を実行する場合について説明したが、図３（ｂ）に示す原稿６１、キャリアシート８０を用い、特別無線タグ７２に係る処理内容指定データに基づき特定した処理内容を実行する場合も同様である。
【０１４４】
具体的には、キャリアシート８０の特別無線タグ７２には、「電話番号種別」を指定する種別指定データ、上記具体例と同様の処理内容を示す処理内容指定データと、「名前：Ichiro」を示す名前データ（主要データ）と、種別データと、からなる無線タグデータが書き込まれ、原稿６１の通常無線タグ６２には、「電話番号：8889999」を示す電話番号データ（主要データ）と、種別データと、からなる無線タグデータが書き込まれている場合、ファクシミリ装置１は、上記具体例と同様の処理を行う。尚、この一連の処理が第２実施パターンに相当する。
【０１４５】
続いて、「外線番号種別」と「内線番号種別」の種別組合せを示す種別組合せデータと、ファクシミリ送信に関する処理内容指定データを含む特殊処理データが、特殊処理データ記憶エリア１４１に格納されている場合について、具体的に説明する（図９参照）。
【０１４６】
「ファックス送信モード」が設定されたファクシミリ装置１に対して、補助無線タグ６２Ｂが付加された原稿６１を、基本無線タグ６２Ａが付加されたキャリアシート８０に収納して用いる場合について説明する。
尚、基本無線タグ６２Ａには、主要データとして「○×工業」に係る外線番号データ「0123456」が書き込まれており、補助無線タグ６２Ｂには、主要データとして「営業部△□様」に係る内線番号データ「9876」が書き込まれているものとする。そして、特殊処理データ記憶エリア１４１には、図９に示す特殊処理データが記憶されているものとする。
【０１４７】
この場合も同様に、無線タグデータが、無線タグリーダ１５により読み出され、無線タグデータ記憶エリア１３３に格納される（Ｓ３）。そして、各無線タグデータは、夫々の種別データに基づいて、「外線番号種別」「内線番号種別」と特定される（Ｓ５）。
【０１４８】
そして、ファクシミリ装置１では、モード検出処理（Ｓ８）において、「ファックス送信モード」と検出され、基本無線タグ６２Ａ、補助無線タグ６２Ｂから無線タグデータを取得しているため（Ｓ９：ＹＥＳ）、指定処理内容特定処理（Ｓ１０）が実行される。
上述したように、当該ファクシミリ装置１は、「ファックス送信モード」に設定されており、無線タグデータ記憶エリア１３３に「外線番号種別」「内線番号種別」に係る無線タグデータが格納されている。
従って、この場合は、「外線番号種別」「内線番号種別」を指定する種別組合せデータ、「ファックス送信モード」を指定するモード指定データを含む特殊処理データが、特殊処理データ記憶エリア１４１から抽出され、当該特殊処理データに係る処理内容指定データに基づく処理内容に決定される（図９参照）。
【０１４９】
これにより、指定処理内容実行処理（Ｓ１３）では、当該特殊処理データを構成する処理内容指定データが示す処理が実行される。つまり、図９に示すように、ファクシミリ装置１は、基本無線タグ６２Ａの「外線番号データ」、補助無線タグ６２Ｂの「内線番号データ」を利用した「ファクシミリ送信」に係る処理を実行する。
【０１５０】
具体的には、この場合、ファクシミリ装置１は、先ず、ＬＣＤ１８に「外線番号データ」「内線番号データ」を利用したファクシミリ送信を行う旨及びその詳細を表示する（図１２（ａ）参照）。図１２（ａ）に例示する画面をＬＣＤ１８に表示した後、ファクシミリ装置１は、自動的に、基本無線タグ６２Ａに書き込まれている「外線番号データ」に基づいて、「0123456」を示すダイヤル信号を送出する（図１２（ｂ）参照）。そして、当該外線番号データに係る相手先との間で回線が接続されると、ファクシミリ装置１は、補助無線タグ６２Ｂの「内線番号データ」に基づいて、「9876」を示すダイヤル信号を送出する（図１２（ｃ）参照）。その後、「○×工業  営業部△□様」に関する相手先装置に対する回線が接続されていることを条件に、ファクシミリ装置１は、原稿６１に係る画像データを当該相手先装置にファクシミリ送信する。
【０１５１】
このように、本実施形態に係るファクシミリ装置１によれば、所定の無線タグデータが書き込まれた基本無線タグ６２Ａ、補助無線タグ６２Ｂが付加された原稿６１及びキャリアシート８０からデータの読取を行うだけで、「外線番号、内線番号により特定される相手先にファクシミリ送信」を行うことができる。この点、「外線番号」や「内線番号」の入力操作を省略することができるので、ファクシミリ装置１は、ユーザの利便性を高めることができる。又、補助無線タグ６２Ｂの内線番号データを変更することで、「○×工業」の他の通信先（例えば、総務部○△様等）へのファクシミリ送信にも対応しうる。
【０１５２】
尚、上述の具体例では、図３（ａ）に示す原稿６１、キャリアシート８０を用い、特殊処理データに基づき特定した処理内容を実行する場合について説明したが、図３（ｂ）に示す原稿６１、キャリアシート８０を用い、特別無線タグ７２に係る処理内容指定データに基づき特定した処理内容を実行する場合も同様である。
【０１５３】
具体的には、キャリアシート８０の特別無線タグ７２には、「内線番号種別」を指定する種別指定データ、上記具体例と同様の処理内容を示す処理内容指定データと、「○×工業」に係る「外線番号：0123456」を示す外線番号データ（主要データ）と、種別データと、からなる無線タグデータが書き込まれ、原稿６１の通常無線タグ６２には、「営業部△□様」に係る「内線番号：9876」を示す内線番号データ（主要データ）と、種別データと、からなる無線タグデータが書き込まれている場合、ファクシミリ装置１は、上記具体例と同様の処理を実行する。
【０１５４】
次に、「同報送信種別」と「電話番号種別」の種別組合せを示す種別組合せデータと、ファクシミリ送信に関する処理内容指定データを含む特殊処理データが、特殊処理データ記憶エリア１４１に格納されている場合について、具体的に説明する（図９参照）。
【０１５５】
先ず、「ファックス送信モード」が設定されたファクシミリ装置１に対して、補助無線タグ６２Ｂが付加された原稿６１を、基本無線タグ６２Ａが付加されたキャリアシート８０に収納して用いる場合について説明する。
尚、基本無線タグ６２Ａには、主要データとして「Taro」「Jiro」「Hanako」「Momoko」という複数の同報送信先が規定された同報送信データが書き込まれており（図１３（ａ）参照）、補助無線タグ６２Ｂには、主要データとして「Saburo」に係る電話番号データ「2224444」が書き込まれているものとする。そして、特殊処理データ記憶エリア１４１には、図９に示す特殊処理データが記憶されているものとする。
【０１５６】
この場合も同様に、無線タグデータが、無線タグリーダ１５により読み出され、無線タグデータ記憶エリア１３３に格納される（Ｓ３）。そして、各無線タグデータは、夫々の種別データに基づいて、「同報送信種別」「電話番号種別」と特定される（Ｓ５）。
【０１５７】
そして、ファクシミリ装置１では、モード検出処理（Ｓ８）において、「ファックス送信モード」と検出され、基本無線タグ６２Ａ、補助無線タグ６２Ｂから無線タグデータを取得しているため（Ｓ９：ＹＥＳ）、指定処理内容特定処理（Ｓ１０）が実行される。上述したように、当該ファクシミリ装置１は、「ファックス送信モード」に設定されており、無線タグデータ記憶エリア１３３に「同報送信種別」「電話番号種別」に係る無線タグデータが格納されている。従って、この場合は、「同報送信種別」「電話番号種別」を指定する種別組合せデータ、「ファックス送信モード」を指定するモード指定データを含む特殊処理データが、特殊処理データ記憶エリア１４１から抽出され、当該特殊処理データに係る処理内容指定データに基づく処理内容に決定される（図９参照）。
【０１５８】
これにより、指定処理内容実行処理（Ｓ１３）では、当該特殊処理データを構成する処理内容指定データが示す処理が実行される。つまり、図９に示すように、ファクシミリ装置１は、基本無線タグ６２Ａの「同報送信データ」、補助無線タグ６２Ｂの「電話番号データ」を利用した「ファクシミリ送信」に係る処理を実行する。
【０１５９】
具体的には、この場合、ファクシミリ装置１は、先ず、基本無線タグ６２Ａの同報送信データに係る同報送信先と、補助無線タグ６２Ｂの電話番号データに係る送信先を比較し、電話番号データに係る送信先が「同報送信先を構成する複数の送信先」に含まれているか否かを判断する。「電話番号データに係る送信先」が同報送信先に含まれていない場合、ファクシミリ装置１は、今回のファクシミリ送信（即ち、同報送信）に際し、同報送信データに基づく複数の送信先に、電話番号データに基づく送信先を追加して、同報送信を行うことを決定する。
【０１６０】
例えば、図１３に示す場合、同報送信先（即ち、「Taro」「Jiro」「Hanako」「Momoko」に係る送信先（図１３（ａ）参照））に、電話番号データに係る送信先（「Saburo」に係る送信先（図１３（ｂ）参照））は含まれていない。従って、この場合、ファクシミリ装置１は、当該同報送信データに基づく同報送信先に、電話番号データに基づく送信先を追加し、「Taro」「Jiro」「Hanako」「Momoko」「Saburo」に係る送信先（図１３（ｃ）参照）にファクシミリ送信（即ち、同報送信）を行うことを決定する。
【０１６１】
この時、ファクシミリ装置１は、基本無線タグ６２Ａからの同報送信データ、補助無線タグ６２Ｂからの電話番号データの詳細と共に、今回の同報送信における総送信件数をＬＣＤ１８に表示する（図１４（ａ）参照）。その後、ファクシミリ装置１は、同報送信データに規定された同報送信先に対するファクシミリ送信を開始し（図１４（ｂ）参照）、同報送信データに規定された全ての送信先にファクシミリ送信する。同報送信データに基づく全ての同報送信先に対するファクシミリ送信を終了すると、ファクシミリ装置１は、電話番号データに係る送信先に対するファクシミリ送信を行う（図１４（ｃ）参照）。
【０１６２】
このように、本実施形態に係るファクシミリ装置１によれば、所定の無線タグデータが書き込まれた基本無線タグ６２Ａ、補助無線タグ６２Ｂが付加された原稿６１及びキャリアシート８０からデータの読取を行うだけで、「同報送信データに基づく同報送信先に、一時的に電話番号データに係る送信先を追加したファクシミリ送信」を行うことができる。この点、「同報送信データに係る同報送信先の追加編集操作」や「電話番号データに係る送信先の追加入力操作」を省略することができるので、当該ファクシミリ装置１は、或るファクシミリ通信に限って、送信先を追加したい場合等、ファクシミリ装置１におけるユーザの利便性を高めることができる。
【０１６３】
尚、上述の具体例では、図３（ａ）に示す原稿６１、キャリアシート８０を用い、特殊処理データに基づき特定した処理内容を実行する場合について説明したが、図３（ｂ）に示す原稿６１、キャリアシート８０を用い、特別無線タグ７２に係る処理内容指定データに基づき特定した処理内容を実行する場合も同様である。
【０１６４】
具体的には、キャリアシート８０の特別無線タグ７２には、「電話番号種別」を指定する種別指定データ、上記具体例と同様の処理内容を示す処理内容指定データと、「図１３（ａ）に示す同報送信データ（主要データ）と、種別データと、からなる無線タグデータが書き込まれ、原稿６１の通常無線タグ６２には、「Saburo」に係る電話番号データ（主要データ）と、種別データと、からなる無線タグデータが書き込まれている場合、ファクシミリ装置１は、上記具体例と同様の処理を行う。
【０１６５】
ここで、上記「同報送信」に係る具体例において、同報送信データに基づく同報送信先に、電話番号データに基づく送信先が含まれていた場合について説明する。
本実施形態において、ファクシミリ装置１は、基本無線タグ６２Ａの同報送信データに係る同報送信先と、補助無線タグ６２Ｂの電話番号データに係る送信先を比較し、同報送信先を構成する複数の送信先に、電話番号データに含まれているか否かを判断する。そして、電話番号データに係る送信先が同報送信先に含まれている場合、ファクシミリ装置１は、今回のファクシミリ送信（即ち、同報送信）に際し、当該同報送信先から「電話番号データに係る送信先と一致する送信先」を除外し、同報送信先を構成する「他の送信先」に対して、ファクシミリ送信を行う。
【０１６６】
この場合の処理について、図１５に示す具体例をもって説明する。この場合、基本無線タグ６２Ａには、同報送信データが書き込まれており、補助無線タグ６２Ｂには、「Momoko」に係る送信先を示す電話番号データが書き込まれているものとする。
尚、その他の条件については、上述した「同報送信」に関する具体例と同様である。
【０１６７】
図１５に示す場合、同報送信先（即ち、「Taro」「Jiro」「Hanako」「Momoko」に係る送信先（図１５（ａ）参照））に、電話番号データに係る送信先（「Momoko」に係る送信先（図１５（ｂ）参照））が含まれている。従って、この場合、ファクシミリ装置１は、当該同報送信データに基づく同報送信先から、電話番号データに基づく送信先（「Momoko」に係る送信先）を除外し、「Taro」「Jiro」「Hanako」により構成される同報送信先（図１５（ｃ）参照）にファクシミリ送信（即ち、同報送信）を行う。
【０１６８】
このように、本実施形態に係るファクシミリ装置１によれば、所定の無線タグデータが書き込まれた基本無線タグ６２Ａ、補助無線タグ６２Ｂが付加された原稿６１及びキャリアシート８０からデータの読取を行うだけで、「同報送信データに基づく同報送信先から、一時的に特定の「電話番号データに係る送信先」を除外したファクシミリ送信」を行うことができる。この点、「同報送信データに係る同報送信先の削除編集操作」や「同報送信すべき送信先（上記具体例における「Taro」「Jiro」「Hanako」）の入力操作」を省略できるので、ファクシミリ装置１は、ユーザの利便性を高めることができる。
【０１６９】
尚、この場合も、図３（ｂ）に示す原稿６１、キャリアシート８０を用い、特別無線タグ７２に係る処理内容指定データに基づき特定した処理内容を実行する場合も同様の処理内容を実行することができる。
【０１７０】
具体的には、キャリアシート８０の特別無線タグ７２には、「電話番号種別」を指定する種別指定データ、上記具体例と同様の処理内容を示す処理内容指定データと、「図１５（ａ）に示す同報送信データ（主要データ）と、種別データと、からなる無線タグデータが書き込まれ、原稿６１の通常無線タグ６２には、「Momoko」に係る電話番号データ（主要データ）と、種別データと、からなる無線タグデータが書き込まれている場合、ファクシミリ装置１は、上記具体例と同様の処理を行う。
【０１７１】
以上説明したように、ファクシミリ装置１によれば、ユーザは、基本無線タグ６２Ａ、補助無線タグ６２Ｂが付加された原稿６１等からの無線タグデータの読出を行うだけで、各無線タグに書き込まれた無線タグデータの種別に応じ、特殊処理データに係る処理内容指定データに基づく処理を実行させ、各無線タグデータを利用した所望の処理結果を得ることができる。つまり、当該ファクシミリ装置１は、ユーザ所望の処理の実行に際し、各種データを無線タグデータとして書き込むことが可能な無線タグを有効活用することで、「ユーザによる操作の簡略化」という利便性を提供できる。
【０１７２】
又、ファクシミリ装置１によれば、ユーザは、特別無線タグ７２、通常無線タグ６２が付加された原稿６１等からの無線タグデータの読出を行うだけで、無線タグに書き込まれた無線タグデータの種別に応じ、特別無線タグ７２に係る処理内容指定データに基づく処理を実行させ、各無線タグデータを利用した所望の処理結果を得ることができる。つまり、当該ファクシミリ装置１は、この場合においても、ユーザ所望の処理の実行に際し、各種データを無線タグデータとして書き込むことが可能な無線タグを有効活用することで、「ユーザによる操作の簡略化」という利便性を提供できる。又、この場合は、ファクシミリ装置１に処理内容指定データを記憶しておく必要がないため、メモリを節約することができる。
【０１７３】
そして、本実施形態に係るファクシミリ装置１においては、通常無線タグ６２、特別無線タグ７２等の無線タグは、それぞれ主要データ及び種別データを区別可能に含む無線タグデータが書き込まれている。そして、ＣＰＵ１１は、無線タグデータ全体ではなく、種別データのみを参照することで、無線タグデータ（つまり、主要データ）の種別を特定する。これにより、当該ファクシミリ装置１は、主要データの種別を特定する際の精度を向上させることができ、ユーザ所望の処理を迅速に実行することが可能となる。
【０１７４】
又、特殊処理データは、種別組合せデータと、処理内容指定データとを含んで構成されているため、ファクシミリ装置１は、無線タグリーダ１５で取得した無線タグデータの種別を特定すれば、容易に処理内容指定データを特定することができ、もって、実行すべき処理内容を特定できる。同様に、特別無線タグ７２の無線タグデータは、種別指定データと、処理内容指定データとを含んで構成されているため、ファクシミリ装置１は、無線タグリーダ１５で取得した無線タグデータの種別を特定すれば、容易に処理内容指定データを特定することができ、もって、実行すべき処理内容を特定できる。つまり、ユーザは、無線タグリーダ１５による無線タグの取得を実行させるだけで、処理内容の指定等の操作を行うことなく、自動的に実行される所望の処理結果を得ることができる。
【０１７５】
そして、本実施形態においては、図３（ａ）に示すように、キャリアシート８０に基本無線タグ６２Ａを付加し、原稿６１に補助無線タグ６２Ｂを付加している。又、図３（ｂ）に示すように、キャリアシート８０に特別無線タグ７２を付加し、原稿６１に通常無線タグ６２を付加している。そして、ファクシミリ装置１では、上記キャリアシート８０に上記原稿６１を収納して、各無線タグからのデータの読出を実行する。これにより、ファクシミリ装置１は、基本無線タグ６２Ａ及び補助無線タグ６２Ｂ、又は、特別無線タグ７２及び通常無線タグ６２から、確実に無線タグデータを読み出すことができる。又、キャリアシートに基本無線タグ６２Ａ又は特別無線タグ７２が付加されているので、原稿６１と区別することができ、もって、異なる複数の処理に共通して使用し得る基本無線タグ６２Ａ、特別無線タグ７２の紛失を防止することができる。
【０１７６】
更に、本実施形態に係るファクシミリ装置１によれば、モード選択処理（Ｓ１）において、「指定処理内容登録モード」を選択すると、ユーザ所望の種別組合せを示す種別組合せデータと、ユーザ所望の処理内容を示す処理内容指定データと、で構成される特殊処理データを、特殊処理データ記憶エリア１４１に登録することができる。又、モード選択処理（Ｓ１）において、「特別無線タグ書込モード」を選択すると、ユーザ所望の種別指定データと、ユーザ所望の処理内容を示す処理内容指定データを、特別無線タグ７２に書き込むことができる。この結果、当該ファクシミリ装置１は、「ユーザ所望の処理に要する操作の簡略化」という利便性をユーザに提供することができる。
【０１７７】
そして、本実施形態に係るファクシミリ装置１によれば、或る種別組合せの無線タグデータを読み出した場合でも、モード選択処理（Ｓ１）で選択されているモードに基づいて、該当する特殊処理データを特定し（Ｓ１１）、当該特殊処理データに係る処理内容指定データを実行できる（Ｓ１３）。つまり、当該ファクシミリ装置１は、ユーザに「或る種別組合せに対する処理内容の多様性」という利便性を提供しうる。
【０１７８】
以上、実施形態に基づき本発明を説明したが、本発明は上述した実施形態に何ら限定されるものではなく、本発明の趣旨を逸脱しない範囲内で種々の改良変更が可能である。
例えば、本実施形態においては、２つの無線タグ（即ち、基本無線タグ６２Ａと補助無線タグ６２Ｂ、特別無線タグ７２と通常無線タグ６２）を用いる態様について説明したが、この無線タグの数を２つに限定するものではない。例えば、一の基本無線タグ６２Ａと、２以上の補助無線タグ６２Ｂを用いる場合等、更に多くの無線タグを用いる態様であってもよい。
【０１７９】
又、本実施形態においては、キャリアシート８０に一の無線タグ（即ち、基本無線タグ６２Ａ又は特別無線タグ７２）を付加し、原稿６１に対しても、一の無線タグ（即ち、補助無線タグ６２Ｂ又は通常無線タグ６２）を付加した態様について説明したが、この態様に限定するものではない。例えば、原稿６１に２つの無線タグ（例えば、特別無線タグ７２と通常無線タグ６２）を付加する態様を採用することも可能であるし、キャリアシート８０に２つの無線タグ（例えば、基本無線タグ６２Ａと補助無線タグ６２Ｂ）を付加する態様を採用することも可能である。
更に、キャリアシート８０及び原稿６１に無線タグを付加する方式としては、キャリアシート８０や原稿６１に無線タグを埋め込むことで付加する方式を採用することも可能であるし、無線タグを貼り付けることで付加する方式を採用することもできる。
【０１８０】
そして、本実施形態においては、特別無線タグ７２、通常無線タグ６２、基本無線タグ６２Ａ、補助無線タグ６２Ｂは、原稿６１及びキャリアシート８０に付加して使用していたが、この態様に限定するものではない。即ち、これらの無線タグは、原稿６１やキャリアシート８０と別体のものとして、ファクシミリ装置１に用いることも可能である。例えば、これらの無線タグを付加したカードを、原稿やキャリアシートと同時に使用する態様も採用しうる。
【図面の簡単な説明】
【０１８１】
【図１】本実施形態に係るファクシミリ装置の模式的な断面図である。
【図２】ファクシミリ装置の制御系構成を示すブロック図である。
【図３】本実施形態に係る原稿及びキャリアシートを示す説明図である。
【図４】（ａ）は、無線タグの構成を示すブロック図であり、（ｂ）は、無線タグリーダ及び無線タグライタの構成を示すブロック図である。
【図５】（ａ）は、通常無線タグに係る無線タグデータの内容の一例を示し、（ｂ）は、特別無線タグに係る無線タグデータの内容の一例を示す説明図である。
【図６】メイン制御処理プログラムのフローチャートである。
【図７】モード選択処理プログラムのフローチャートである。
【図８】（ａ）は、通常無線タグに係る無線タグデータの内容の一例を示し、（ｂ）は、特別無線タグに係る無線タグデータの内容の一例を示す説明図である。ＬＣＤにおける設定メニュー表示に関する説明図である。
【図９】特殊処理データ記憶エリアの記憶内容を示す説明図である。
【図１０】特別無線タグに係る無線タグデータ内容を示す説明図である。
【図１１】指定処理内容実行処理における電話帳登録に関する説明図である。
【図１２】指定処理内容実行処理におけるファクシミリ送信の説明図である。
【図１３】指定処理内容実行処理における同報送信に関する説明図（１）である。
【図１４】図１３の場合にＬＣＤに表示される画面に関する説明図である。
【図１５】指定処理内容実行処理における同報送信に関する説明図（２）である。
【符号の説明】
【０１８２】
１      ファクシミリ装置
３      スキャナ部
１１    ＣＰＵ
１２    ＲＯＭ
１３    ＲＡＭ
１４    フラッシュメモリ
１５    無線タグリーダ
１６    無線タグライタ
１７    操作パネル
１９    ＮＣＵ
２０    モデム
２１    バッファ
２２    スキャナ装置
６１    原稿
６２    通常無線タグ
６２Ａ  基本無線タグ
６２Ｂ  補助無線タグ
７２    特別無線タグ
８０    キャリアシート
１４１  特殊処理データ記憶エリア
【図１】
2009044580.tif 000003
【図２】
2009044580.tif 000004
【図３】
2009044580.tif 000005
【図４】
2009044580.tif 000006
【図５】
2009044580.tif 000007
【図６】
2009044580.tif 000008
【図７】
2009044580.tif 000009
【図８】
2009044580.tif 000010
【図９】
2009044580.tif 000011
【図１０】
2009044580.tif 000012
【図１１】
2009044580.tif 000013
【図１２】
2009044580.tif 000014
【図１３】
2009044580.tif 000015
【図１４】
2009044580.tif 000016
【図１５】
2009044580.tif 000017